(57)【特許請求の範囲】
【請求項１】
それぞれコンテンツ選択画像を生成して表示するための画像構成情報と共に、少なくとも１つのストリーミングコンテンツデータの供給元を示すコンテンツ識別情報を含み、順次遷移させるようにして取得可能な複数のページ情報のうち、上記コンテンツ選択画像の表示用に第１のページ情報を取り込んで当該第１のページ情報の取り込みを検出すると、少なくとも上記第１のページ情報から遷移される第２のページ情報も取り込む検出部と、
上記検出部により上記第１のページ情報の取り込みが検出されると、上記検出部に取り込まれた少なくとも上記第１及び第２のページ情報内から、複数の上記コンテンツ識別情報を収集し、当該収集した複数の上記コンテンツ識別情報のリストを作成するリスト作成部と、
上記検出部により上記第１のページ情報の取り込みが検出されると、上記リスト作成部により作成された上記リストに従い、当該リスト内の複数の上記コンテンツ識別情報に対応する複数の上記ストリーミングコンテンツデータを自動的に取り込んで連続再生する再生部と
を具える再生装置。
【請求項２】
上記再生部は、
上記リスト作成部により少なくとも上記第１及び第２のページ情報内から、１つ目の上記コンテンツ識別情報が収集されると、上記リストに従い、当該リスト内の上記コンテンツ識別情報に対応する上記ストリーミングコンテンツデータを自動的に取り込んで再生する
請求項１に記載の再生装置。
【請求項３】
上記再生部は、
上記リスト作成部により少なくとも上記第１及び第２のページ情報内から、規定の数の上記コンテンツ識別情報が収集されると、上記リストに従い、当該リスト内の上記規定の数の上記コンテンツ識別情報に対応する上記規定の数の上記ストリーミングコンテンツデータを自動的に取り込んで連続再生する
請求項１に記載の再生装置。
【請求項４】
上記再生部は、
上記リスト作成部による少なくとも上記第１及び第２のページ情報内からの複数の上記コンテンツ識別情報の収集が終了すると、上記リストに従い、当該リスト内の複数の上記コンテンツ識別情報に対応する複数の上記ストリーミングコンテンツデータを自動的に取り込んで連続再生する
請求項１に記載の再生装置。
【請求項５】
上記再生部は、
上記リスト作成部により作成された上記リストに従い、当該リスト内の複数の上記コンテンツ識別情報に対応する複数の上記ストリーミングコンテンツデータを自動的に繰り返し取り込んで連続再生する
請求項１に記載の再生装置。
【請求項６】
上記再生部は、
上記リスト作成部により作成された上記リストに従い、当該リスト内の１つの上記コンテンツ識別情報を注目コンテンツ識別情報として選定し、当該注目コンテンツ識別情報として選定した上記コンテンツ識別情報に対応する上記ストリーミングコンテンツデータを取り込んで、当該取り込んだ上記ストリーミングコンテンツデータを再生し、当該ストリーミングコンテンツデータの再生終了を検出すると、上記リスト内の新たな１つの上記コンテンツ識別情報を上記注目コンテンツ識別情報として自動的に選定するようにして、上記リスト内の複数の上記コンテンツ識別情報に対応する複数の上記ストリーミングコンテンツデータを自動的に取り込んで連続再生する
請求項１に記載の再生装置。
【請求項７】
操作に応じて、関連付けられているネットワークアドレスにアクセスする操作部と、
上記再生部により再生されている上記ストリーミングコンテンツデータに応じて、上記操作部に関連付ける上記ネットワークアドレスを更新する制御部と
を具える請求項１に記載の再生装置。
【請求項８】
上記制御部は、
上記再生部により上記ストリーミングコンテンツデータが再生されていないとき、上記操作部に関連付けていた上記ネットワークアドレスを削除する
請求項７に記載の再生装置。
【請求項９】
上記制御部は、
上記操作部に関連付けていた上記ネットワークアドレスを削除していたとき、当該操作部に対する上記操作を受け付けないようにする
請求項８に記載の再生装置。
【請求項１０】
上記再生部によって上記ストリーミングコンテンツデータが再生されることにより得られる再生データを音声信号に変換する音声処理部
を具え、
上記制御部は、
上記再生部により上記ストリーミングコンテンツデータが再生されていても、上記音声処理部から上記音声信号の出力がないとき、上記操作部に対する上記操作を受け付けないようにする
請求項７に記載の再生装置。
【請求項１１】
上記リスト作成部は、
上記検出部により上記第１のページ情報の取り込みが検出されると、上記検出部に取り込まれた少なくとも上記第１及び第２のページ情報内から、上記再生手段により再生可能な複数の上記ストリーミングコンテンツデータの上記供給元を示す複数の上記コンテンツ識別情報を収集し、当該収集した複数の上記コンテンツ識別情報の上記リストを作成する
請求項１に記載の再生装置。
【請求項１２】
上記リスト作成部は、
上記検出部により上記第１のページ情報の取り込みが検出されると、上記検出部に取り込まれた少なくとも上記第１及び第２のページ情報内から、試聴可能な複数の上記ストリーミングコンテンツデータの上記供給元を示す複数の上記コンテンツ識別情報を収集し、当該収集した複数の上記コンテンツ識別情報の上記リストを作成する
請求項１に記載の再生装置。
【請求項１３】
それぞれコンテンツ選択画像を生成して表示するための画像構成情報と共に、少なくとも１つのストリーミングコンテンツデータの供給元を示すコンテンツ識別情報を含み、順次遷移させるようにして取得可能な複数のページ情報のうち、上記コンテンツ選択画像の表示用に第１のページ情報を取り込んで当該第１のページ情報の取り込みを検出すると、少なくとも上記第１のページ情報から遷移される第２のページ情報も取り込む検出ステップと、
上記検出ステップで上記第１のページ情報の取り込みを検出すると、上記検出ステップで取り込んだ少なくとも上記第１及び第２のページ情報内から、複数の上記コンテンツ識別情報を収集し、当該収集した複数の上記コンテンツ識別情報のリストを作成するリスト作成ステップと、
上記検出ステップで上記第１のページ情報の取り込みを検出すると、上記リスト作成ステップで作成した上記リストに従い、当該リスト内の複数の上記コンテンツ識別情報に対応する複数の上記ストリーミングコンテンツデータを自動的に取り込んで連続再生する再生ステップと
を具える再生方法。
【請求項１４】
情報処理装置に対して、
それぞれコンテンツ選択画像を生成して表示するための画像構成情報と共に、少なくとも１つのストリーミングコンテンツデータの供給元を示すコンテンツ識別情報を含み、順次遷移させるようにして取得可能な複数のページ情報のうち、上記コンテンツ選択画像の表示用に第１のページ情報を取り込んで当該第１のページ情報の取り込みを検出すると、少なくとも上記第１のページ情報から遷移される第２のページ情報も取り込む検出ステップと、
上記検出ステップで上記第１のページ情報の取り込みを検出すると、上記検出ステップで取り込んだ少なくとも上記第１及び第２のページ情報内から、複数の上記コンテンツ識別情報を収集し、当該収集した複数の上記コンテンツ識別情報のリストを作成するリスト作成ステップと、
上記検出ステップで上記第１のページ情報の取り込みを検出すると、上記リスト作成ステップで作成した上記リストに従い、当該リスト内の複数の上記コンテンツ識別情報に対応する複数の上記ストリーミングコンテンツデータを自動的に取り込んで連続再生する再生ステップと
を実行させるための再生プログラム。
【発明の詳細な説明】
【技術分野】
【０００１】
本発明は再生装置、再生方法及び再生プログラムに関し、例えばデータ記憶再生装置により、ネットワーク上で提供されている音楽データを取得する場合に適用して好適なものである。
【背景技術】
【０００２】
従来の音楽配信システムの端末は、ディスプレイに表示したウェブブラウザ画面上でユーザにより試聴開始ボタンが選択指示されると、ウェブサーバに対し当該楽曲の試聴を要求する。これに応じてウェブサーバは、販売可能な楽曲を予め決められた所定時間ずつ次々にストリーミング形式で端末に送信する。これにより端末は、ウェブサーバからストリーミング形式で送信された所定時間ずつの楽曲を順次スピーカから出力してユーザに試聴させていた（例えば、特許文献１参照）。
【特許文献１】特開２００２−９９２８３公報（第６頁、第７頁、図２、図３）
【発明の開示】
【発明が解決しようとする課題】
【０００３】
ところでかかる構成の音楽配信システムでは、例えばそれぞれ楽曲の試聴を要求可能な複数のウェブブラウザ画面を互いに関連付けておき、これら複数のウェブブラウザ画面を適宜切り替えることで楽曲を試聴させるように構成する場合がある。ところがかかる構成の場合、音楽配信システムでは、ユーザに対し、ウェブブラウザ画面の切替操作を行わせると共に、かかる切替操作に応じてウェブブラウザ画面を表示する毎に試聴開始ボタンを選択指示させるような操作も合わせて行わせることになり、楽曲再生時にユーザの操作が著しく煩雑化するという問題があった。
【０００４】
本発明は以上の点を考慮してなされたもので、ストリーミングコンテンツデータの再生時の操作を格段的に簡易化し得る再生装置、再生方法及び再生プログラムを提案しようとするものである。
【課題を解決するための手段】
【０００５】
かかる課題を解決するため本発明においては、それぞれコンテンツ選択画像を生成して表示するための画像構成情報と共に、少なくとも１つのストリーミングコンテンツデータの供給元を示すコンテンツ識別情報を含み、順次遷移させるようにして取得可能な複数のページ情報のうち、コンテンツ選択画像の表示用に第１のページ情報を取り込んで当該第１のページ情報の取り込みを検出すると、少なくとも第１のページ情報から遷移される第２のページ情報も取り込んで、当該取り込んだ少なくとも第１及び第２のページ情報内から複数のコンテンツ識別情報を収集すると共に、当該収集した複数のコンテンツ識別情報のリストを作成して、かかるリストに従い、当該リスト内の複数のコンテンツ識別情報に対応する複数のストリーミングコンテンツデータを自動的に取り込んで連続再生するようにした。
【０００６】
従って本発明においては、ユーザに対し第１のページ情報を取り込むための操作のみを行わせるだけで、複数の第１及び第２のページ情報内のコンテンツ識別情報に対応するストリーミングコンテンツデータを取り込んで再生することができる。
【発明の効果】
【０００７】
本発明によれば、それぞれコンテンツ選択画像を生成して表示するための画像構成情報と共に、少なくとも１つのストリーミングコンテンツデータの供給元を示すコンテンツ識別情報を含み、順次遷移させるようにして取得可能な複数のページ情報のうち、コンテンツ選択画像の表示用に第１のページ情報を取り込んで当該第１のページ情報の取り込みを検出すると、少なくとも第１のページ情報から遷移される第２のページ情報も取り込んで、当該取り込んだ少なくとも第１及び第２のページ情報内から複数のコンテンツ識別情報を収集すると共に、当該収集した複数のコンテンツ識別情報のリストを作成して、かかるリストに従い、当該リスト内の複数のコンテンツ識別情報に対応する複数のストリーミングコンテンツデータを自動的に取り込んで連続再生するようにしたことにより、ユーザに対し第１のページ情報を取り込むための操作のみを行わせるだけで、複数の第１及び第２のページ情報内のコンテンツ識別情報に対応するストリーミングコンテンツデータを取り込んで再生することができ、かくしてストリーミングコンテンツデータの再生時の操作を格段的に簡易化し得る再生装置、再生方法及び再生プログラムを実現することができる。
【発明を実施するための最良の形態】
【０００８】
以下図面について、本発明の一実施の形態を詳述する。
【０００９】
（１）第１の実施の形態
図１において、１は全体として第１の実施の形態による再生装置の機能回路ブロックによるハードウェア構成を示す。かかるハードウェア構成の再生装置１において、検出部２は、それぞれコンテンツ選択画像を生成して表示するための画像構成情報と共に、少なくとも１つのストリーミングコンテンツデータの供給元を示すコンテンツ識別情報を含み、順次遷移させるようにして取得可能な複数のページ情報のうち、コンテンツ選択画像の表示用に第１のページ情報を取り込んで当該第１のページ情報の取り込みを検出すると、少なくとも第１のページ情報から遷移される第２のページ情報も取り込む。そして再生装置１において、リスト作成部３は、検出部２により第１のページ情報の取り込みが検出されると、検出部２に取り込まれた少なくとも第１及び第２のページ情報内から、複数のコンテンツ識別情報を収集し、当該収集した複数のコンテンツ識別情報のリストを作成する。これにより再生装置１において、再生部４は、検出部２により第１のページ情報の取り込みが検出されると、リスト作成部３により作成されたリストに従い、当該リスト内の複数のコンテンツ識別情報に対応する複数のストリーミングコンテンツデータを自動的に取り込んで連続再生する。
【００１０】
この場合、再生部４は、リスト作成部３による種々のリスト作成状況に応じてストリーミングコンテンツデータを再生することができる。すなわち再生部４は、リスト作成部３により少なくとも第１及び第２のページ情報内から、１つ目のコンテンツ識別情報が収集されると、リストに従い、当該リスト内のコンテンツ識別情報に対応するストリーミングコンテンツデータを自動的に取り込んで再生することができる。また再生部４は、リスト作成部３により少なくとも第１及び第２のページ情報内から、規定の数のコンテンツ識別情報が収集されると、リストに従い、当該リスト内の当該規定の数のコンテンツ識別情報に対応する規定の数のストリーミングコンテンツデータを自動的に取り込んで連続再生することもできる。さらに再生部４は、リスト作成部３による少なくとも第１及び第２のページ情報内からのコンテンツ識別情報の収集が終了すると、リストに従い、当該リスト内の複数のコンテンツ識別情報に対応する複数のストリーミングコンテンツデータを自動的に取り込んで連続再生することもできる。
【００１１】
これに加えて再生部４は、ストリーミングコンテンツデータの再生形態として、リスト作成部３により作成されたリスト内の複数のコンテンツ識別情報に対応する複数のストリーミングコンテンツデータを自動的に繰り返し取り込んで連続再生することができる。そして実際に再生部４は、リスト作成部３により作成されたリスト内の１つのコンテンツ識別情報を注目コンテンツ識別情報として選定し、当該注目コンテンツ識別情報として選定したコンテンツ識別情報に対応するストリーミングコンテンツデータを取り込んで、当該取り込んだストリーミングコンテンツデータを再生し、当該ストリーミングコンテンツデータの再生終了を検出すると、リスト内の新たな１つのコンテンツ識別情報を注目コンテンツ識別情報として自動的に選定するようにして、当該リスト内の複数のコンテンツ識別情報に対応する複数のストリーミングコンテンツデータを自動的に取り込んで連続再生する。
【００１２】
ところで再生装置１において、操作部５は、操作に応じて、関連付けられているネットワークアドレスにアクセスする。また再生装置１において、制御部６は、再生部４により再生されているストリーミングコンテンツデータに応じて、操作部５に関連付けるネットワークアドレスを更新する。しかしながら制御部６は、再生部４によりストリーミングコンテンツデータが再生されていないとき、操作部５に関連付けていたネットワークアドレスを削除する。また制御部６は、操作部５に関連付けていたネットワークアドレスを削除していたとき、当該操作部５に対する操作を受け付けないようにする。これに加えて再生装置１において、音声処理部７は、再生部４によってストリーミングコンテンツデータが再生されることにより得られる再生データを音声信号に変換する。そして制御部６は、再生部４によりストリーミングコンテンツデータが再生されていても、音声処理部７から音声信号の出力がないとき、操作部５に対する操作を受け付けないようにする。
【００１３】
一方、リスト作成部３は、検出部２により第１のページ情報の取り込みが検出されると、検出部２に取り込まれた少なくとも第１及び第２のページ情報内から、再生手段４により再生可能な複数のストリーミングコンテンツデータの供給元を示す複数のコンテンツ識別情報を収集し、当該収集した複数のコンテンツ識別情報のリストを作成することができる。またリスト作成部３は、検出部２により第１のページ情報の取り込みが検出されると、検出部２に取り込まれた少なくとも第１及び第２のページ情報内から、試聴可能な複数のストリーミングコンテンツデータの供給元を示す複数のコンテンツ識別情報を収集し、当該収集した複数のコンテンツ識別情報のリストを作成することもできる。
【００１４】
以上の構成において、再生装置１は、検出部２により、それぞれコンテンツ選択画像を生成して表示するための画像構成情報と共に、少なくとも１つのストリーミングコンテンツデータの供給元を示すコンテンツ識別情報を含み、順次遷移させるようにして取得可能な複数のページ情報のうち、コンテンツ選択画像の表示用に第１のページ情報を取り込んで当該第１のページ情報の取り込みを検出すると、少なくとも第１のページ情報から遷移される第２のページ情報も取り込み、リスト作成部３により、検出部２により取り込まれた少なくとも第１及び第２のページ情報内から、複数のコンテンツ識別情報を収集すると共に、当該収集した複数のコンテンツ識別情報のリストを作成する。この状態で再生装置１は、再生部４により、かかるリストに従い、当該リスト内の複数のコンテンツ識別情報に対応する複数のストリーミングコンテンツデータを自動的に取り込んで連続再生する。
【００１５】
従って再生装置１は、ユーザに対し第１のページ情報を取り込むための操作のみを行わせるだけで、複数の第１及び第２のページ情報内のコンテンツ識別情報に対応するストリーミングコンテンツデータを取り込んで再生することができる。
【００１６】
以上の構成によれば、再生装置１は、それぞれコンテンツ選択画像を生成して表示するための画像構成情報と共に、少なくとも１つのストリーミングコンテンツデータの供給元を示すコンテンツ識別情報を含み、順次遷移させるようにして取得可能な複数のページ情報のうち、コンテンツ選択画像の表示用に第１のページ情報を取り込んで当該第１のページ情報の取り込みを検出すると、少なくとも第１のページ情報から遷移される第２のページ情報も取り込んで、当該取り込んだ少なくとも第１及び第２のページ情報内から、複数のコンテンツ識別情報を収集すると共に、当該収集した複数のコンテンツ識別情報のリストを作成し、かかるリストに従い、当該リスト内の複数のコンテンツ識別情報に対応する複数のストリーミングコンテンツデータを自動的に取り込んで連続再生するようにした。これにより再生装置１は、ユーザに対し第１のページ情報を取り込むための操作のみを行わせるだけで、複数の第１及び第２のページ情報内のコンテンツ識別情報に対応するストリーミングコンテンツデータを取り込んで再生することができ、かくしてストリーミングコンテンツデータの再生時の操作を格段的に簡易化することができる。
【００１７】
（２）第２の実施の形態
図２において、２０は全体として第２の実施の形態による音楽データ提供システムを示し、本発明を適用したデータ記憶再生装置２１がネットワークＮＴ上の音楽データ配信サーバＳＶ１やディスク情報提供サーバＳＶ２と接続して通信し得るように構成されている。この場合、音楽データ配信サーバＳＶ１は、配信対象の複数の楽曲を、ＡＴＲＡＣ３（Adaptive Transform Acoustic Coding 3）、ＡＡＣ（Advanced Audio Coding ）、ＷＭＡ（Windows （登録商標） Media Audio）、ＲｅａｌＡＵＤＩＯ  Ｇ２  Ｍｕｓｉｃ  Ｃｏｄｅｃ、ＭＰ３（MPEG Audio Layer-3）形式等でなる音楽データとしてデータ記憶再生装置２１に配信し得るようになされている。またディスク情報提供サーバＳＶ２は、個々のＣＤ（Compact Disc）に関するディスク情報を当該ＣＤ固有の管理情報と対応付けてＣＤデータベースに登録しておきデータ記憶再生装置２１に提供し得るようになされている。因みにディスク情報は、ＣＤに記録されている楽曲の曲名を示す曲名情報や演奏時間を示す演奏時間情報、楽曲のアーティスト名を示すアーティスト情報、当該楽曲の属するジャンル（邦楽や洋楽等）を示すジャンル情報等を含む。
【００１８】
まず図３を用いて、音楽データ配信サーバＳＶ１のハードウェア回路ブロックによるハードウェア構成を説明する。図３に示すように、音楽データ配信サーバＳＶ１は、全体を統括的に制御する中央処理ユニット（Central Processing Unit ）２５が、ＲＯＭ（Read Only Memory）２６又はハードディスクドライブ２７に記憶されている基本プログラムやアプリケーションソフトウェア等の各種プログラムを、バス２８を介してＲＡＭ（Random Access Memory）２９に適宜展開する。そして中央処理ユニット２５は、ＲＡＭ２９に展開した各種プログラムを実行することによりネットワークインタフェース３０を介してデータ記憶再生装置２１と通信接続し、この状態でデータ記憶再生装置２１に対する音楽データ配信用の各種処理を実行する。
【００１９】
この場合、ハードディスクドライブ２７には、データ記憶再生装置２１でダウンロード可能な（すなわち、データ記憶再生装置２１に対し配信可能な）多数の音楽データが記憶されている。またハードディスクドライブ２７には、ダウンロード可能な音楽データに基づく楽曲の一部を試聴楽曲として試聴させるために予め用意された複数の試聴データも記憶されている。さらにハードディスクドライブ２７には、ダウンロード可能な音楽データ毎の属性情報も、対応する音楽データと関連付けて記憶されている。かかる属性情報は、対応する音楽データに基づく楽曲の曲名を示す曲名情報や当該音楽データの再生時間を示す再生時間情報、かかる楽曲のアーティスト名を示すアーティスト情報、当該楽曲の属するジャンルを示すジャンル情報等を含む。そしてハードディスクドライブ２７では、これら多数の音楽データが対応するコンテンツ識別情報（以下、これを特にダウンロード楽曲識別情報と呼ぶ）と関連付けられていると共に、試聴データも対応するコンテンツ識別情報（以下、これを特に試聴楽曲識別情報と呼ぶ）と関連付けられている。かかるダウンロード楽曲識別情報及び試聴楽曲識別情報は、対応する音楽データや試聴データそれぞれに固有のＩＤ（IDentification）、又はこれらのネットワークＮＴ上の記憶位置を示すネットワークアドレス（すなわち、ＵＲＬ（Uniform Resource Locator））等でなり、当該音楽データや試聴データの供給元を示すものである。
【００２０】
これに加えてハードディスクドライブ２７には、音楽データ配信用のページ情報として、所望の楽曲の音楽データを選択させる際に用いる複数のページ情報（以下、これを楽曲選択ページ情報と呼ぶ）や、実際に音楽データのダウンロード（すなわち、ネットワークＮＴを利用した音楽データの購入）を実行要求させる際に用いる複数のページ情報（以下、これを楽曲購入ページ情報と呼ぶ）も記憶されている。そしてハードディスクドライブ２７では、これら複数の楽曲選択ページ情報及び楽曲購入ページ情報が、それぞれ対応するネットワークＮＴ上の記憶位置を示すネットワークアドレス（すなわち、ＵＲＬであり、これら楽曲選択ページ情報や楽曲購入ページ情報の供給元を示す）と関連付けられている。
【００２１】
図４に示すように、各楽曲選択ページ情報３２、３２Ａ乃至３２ＢＡは、例えばＸＭＬ（eXtensible Markup Language）で記述されて作成されており、所望の楽曲の音楽データをジャンルやアーティスト等の種別毎に選択させるための楽曲選択画像の生成に用いる種々の画像構成情報が含まれている。そして各楽曲選択ページ情報３２、３２Ａ乃至３２ＢＡは、音楽データの種別に応じて階層的に順次遷移して提供可能なように関連付けられており、ダウンロード可能な多数の音楽データの中から所望の楽曲の音楽データを、順次種別で絞り込んで選択させ得るようになされている。この場合、各楽曲選択ページ情報３２、３２Ａ乃至３２ＢＡのうち階層構造の最上位となる１つの楽曲選択ページ情報３２には、画像構成情報の１つとして例えばジャンルリスト情報３３が含まれている。図５に示すように、かかるジャンルリスト情報３３には、音楽データの種別としてのジャンルの選択に使用する当該ジャンルの名称のジャンルリスト３４が含まれている。またジャンルリスト情報３３には、自己のページ情報から遷移させる１階層下位の楽曲選択ページ情報３２Ａ及び３２Ｂの供給元を示すネットワークアドレス（以下、これを選択ページアドレスと呼ぶ）の選択ページアドレスリスト３５が、個々の選択ページアドレスをジャンルリスト３４内の対応するジャンルの名称と関連付けて含まれている。さらにジャンルリスト情報３３には、音楽データ配信サーバＳＶ１側でジャンル毎に試聴の許可された楽曲に対応する試聴データの供給元を示す試聴楽曲識別情報の識別情報リスト３６が、個々の試聴楽曲識別情報をジャンルリスト３４内の対応するジャンルの名称と関連付けて含まれている。さらにまたジャンルリスト情報３３には、試聴の許可された楽曲の種別（すなわち、ジャンル及びアーティスト等）の種別リスト３７が、個々の種別を識別情報リスト３６内の対応する試聴楽曲識別情報と関連付けて含まれている。これに加えてジャンルリスト情報３３には、試聴の許可された楽曲の音楽データに対応する楽曲購入ページ情報の供給元を示すネットワークアドレス（以下、これを購入ページアドレスと呼ぶ）の購入ページアドレスリスト３８が、個々の購入ページアドレスを識別情報リスト３６内の対応する試聴楽曲識別情報と関連付けて含まれている。
【００２２】
また最上位の楽曲選択ページ情報３２よりも下位（例えば、１階層下位）の楽曲選択ページ情報３２Ａ及び３２Ｂには、画像構成情報の１つとして例えばアーティストリスト情報３９Ａ及び３９Ｂが含まれている。図６に示すように、かかるアーティストリスト情報３９Ａ及び３９Ｂには、音楽データの種別としてのアーティストの選択に使用するアーティスト名のアーティストリスト４０が含まれている。またアーティストリスト情報３９Ａ及び３９Ｂには、自己のページ情報から遷移させる１階層下位の楽曲選択ページ情報３２ＡＡ乃至３２ＢＡの供給元を示す選択ページアドレスの選択ページアドレスリスト４１が、個々の選択ページアドレスをアーティストリスト４０内の対応するアーティスト名と関連付けて含まれている。さらにアーティストリスト情報３９Ａ及び３９Ｂには、音楽データ配信サーバＳＶ１側でアーティスト毎に試聴の許可された楽曲に対応する試聴データの供給元を示す試聴楽曲識別情報の識別情報リスト４２が、個々の試聴楽曲識別情報をアーティストリスト４０内の対応するアーティスト名と関連付けて含まれている。さらにまたアーティストリスト情報３９Ａ及び３９Ｂには、試聴の許可された楽曲の種別（すなわち、ジャンル及びアーティスト等）の種別リスト４３が、個々の種別を識別情報リスト４２内の対応する試聴楽曲識別情報と関連付けて含まれている。これに加えてアーティストリスト情報３９Ａ及び３９Ｂには、試聴の許可された楽曲の音楽データに対応する楽曲購入ページ情報の供給元を示す購入ページアドレスの購入ページアドレスリスト４４が、個々の購入ページアドレスを識別情報リスト４２内の対応する試聴楽曲識別情報と関連付けて含まれている。
【００２３】
さらにアーティストリスト情報３９Ａ及び３９Ｂを含む楽曲選択ページ情報３２Ａ及び３２Ｂよりも下位（例えば、最下位）の楽曲選択ページ情報３２ＡＡ乃至３２ＢＡには、画像構成情報の１つとして例えば楽曲リスト情報４５Ａ乃至４５Ｃが含まれている。図７に示すように、かかる楽曲リスト情報４５Ａ乃至４５Ｃには、楽曲の選択に使用する曲名の曲名リスト４６が含まれている。また楽曲リスト情報４５Ａ乃至４５Ｃには、曲名リスト４６内の曲名により選択可能な楽曲の音楽データに対応する楽曲購入ページ情報の供給元を示す購入ページアドレスの購入ページアドレスリスト４７が、個々の購入ページアドレスを曲名リスト４６内の対応する曲名と関連付けて含まれている。さらに楽曲リスト情報４５Ａ乃至４５Ｃには、音楽データ配信サーバＳＶ１側で試聴の許可された楽曲に対応する試聴データの供給元を示す試聴楽曲識別情報の識別情報リスト４８が、個々の試聴楽曲識別情報を曲名リスト４６内の対応する曲名と関連付けて含まれている。さらにまた楽曲リスト情報４５Ａ乃至４５Ｃには、試聴の許可された楽曲の種別（すなわち、ジャンル及びアーティスト等）の種別リスト４９が、個々の種別を識別情報リスト４８内の対応する試聴楽曲識別情報と関連付けて含まれている。
【００２４】
そして各楽曲選択ページ情報３２、３２Ａ乃至３２ＢＡ（図４）には、それぞれ内部のジャンルリスト情報３３、アーティストリスト情報３９Ａ及び３９Ｂ並びに楽曲リスト情報４５Ａ乃至４５Ｃを判別可能なリスト識別子（図示せず）も含まれている。また各楽曲選択ページ情報３２、３２Ａ乃至３２ＢＡには、それぞれ固有のページ識別情報が含まれており、かかるページ識別情報により個々の楽曲選択ページ情報３２、３２Ａ乃至３２ＢＡを識別可能にしている。
【００２５】
一方、楽曲購入ページ情報は、例えばＸＭＬで記述されて作成されており、ダウンロードさせる（すなわち、購入させる）音楽データの当該ダウンロードを実行要求させるための楽曲購入画像の生成に用いる種々の画像構成情報が含まれている。また楽曲購入ページ情報には、対応する音楽データの供給元を示すダウンロード楽曲識別情報も含まれている。
【００２６】
これにより中央処理ユニット２５は、データ記憶再生装置２１から楽曲選択ページ情報が要求されると、ハードディスクドライブ２７から最上位の楽曲選択ページ情報３２を読み出してネットワークインタフェース３０を介してデータ記憶再生装置２１に送信する。また中央処理ユニット２５は、データ記憶再生装置２１から楽曲選択ページ情報３２に含まれるジャンルリスト情報３３内の選択ページアドレスに従って下位の楽曲選択ページ情報３２Ａ及び３２Ｂが要求されると、これに応じてハードディスクドライブ２７から対応する楽曲選択ページ情報３２Ａ及び３２Ｂを読み出してネットワークインタフェース３０を介してデータ記憶再生装置２１に送信する。さらに中央処理ユニット２５は、データ記憶再生装置２１から下位の楽曲選択ページ情報３２Ａ及び３２Ｂに含まれるアーティストリスト情報３９Ａ及び３９Ｂ内の選択ページアドレスに従って、さらに下位の楽曲選択ページ情報３２ＡＡ乃至３２ＢＡが要求されると、これに応じてハードディスクドライブ２７から対応する楽曲選択ページ情報３２ＡＡ乃至３２ＢＡを読み出してネットワークインタフェース３０を介してデータ記憶再生装置２１に送信する。
【００２７】
このようにして中央処理ユニット２５は、データ記憶再生装置２１に対し楽曲選択ページ情報３２、３２Ａ乃至３２ＢＡを提供した状態で、当該データ記憶再生装置２１から楽曲選択ページ情報３２、３２Ａ乃至３２ＢＡに含まれるジャンルリスト情報３３、アーティストリスト情報３９Ａ及び３９Ｂ並びに楽曲リスト情報４５Ａ乃至４５Ｃ内の試聴楽曲識別情報に従って試聴データが要求されると、これに応じてハードディスクドライブ２７から対応する試聴データを読み出す。そして中央処理ユニット２５は、ハードディスクドライブ２７から読み出した試聴データをＵＤＰ／ＩＰ（User Datagram Protocol/Internet Protocol）に従ってストリーミング形式でネットワークインタフェース３０を介してデータ記憶再生装置２１に送信する。これにより中央処理ユニット２５は、データ記憶再生装置２１においてユーザに対し試聴データに基づく試聴楽曲を試聴させる。
【００２８】
さらに中央処理ユニット２５は、データ記憶再生装置２１から楽曲選択ページ情報３２、３２Ａ乃至３２ＢＡに含まれるジャンルリスト情報３３、アーティストリスト情報３９Ａ及び３９Ｂ並びに楽曲リスト情報４５Ａ乃至４５Ｃ内の購入ページアドレスに従って楽曲購入ページ情報が要求されると、これに応じてハードディスクドライブ２７から対応する楽曲購入ページ情報を読み出してネットワークインタフェース３０を介してデータ記憶再生装置２１に送信する。その結果、中央処理ユニット２５は、データ記憶再生装置２１から楽曲購入ページ情報内のダウンロード楽曲識別情報に従って対応する音楽データのダウンロードが実行要求されると、これに応じてハードディスクドライブ２７から対応する音楽データ及び属性情報を読み出してネットワークインタフェース３０を介してデータ記憶再生装置２１に送信する。このようにして中央処理ユニット２５は、データ記憶再生装置２１において、ユーザに試聴楽曲を試聴させながら所望の楽曲を選択させると共に、当該選択された楽曲の音楽データをダウンロードさせることができる。
【００２９】
次いで、図８を用いてデータ記憶再生装置２１のハードウェア回路ブロックによるハードウェア回路構成を説明する。図８に示すように、データ記憶再生装置２１は、自己の筐体表面やリモートコントローラ（図示せず）に設けられた各種操作ボタンでなる操作入力部５０がユーザによって操作されると、その操作に応じた操作入力信号を入力処理部５１に送出する。入力処理部５１は、操作入力部５０から与えられた操作入力信号に対して所定の処理を施すことにより当該操作入力信号を操作コマンドに変換し、これをバス５２を介して中央処理ユニット５３に送出する。
【００３０】
中央処理ユニット５３は、ＲＯＭ５４又はハードディスクドライブ５５に予め記憶されている基本プログラムや再生プログラム等の各種プログラムをバス５２を介して、当該中央処理ユニット５３のワークエリアであるＲＡＭ５６に読み出す。そして中央処理ユニット５３は、ＲＡＭ５６に読み出した各種プログラムに従って全体を制御すると共に、所定の演算処理や、入力処理部５１から与えられる操作コマンドに応じた各種処理を実行する。
【００３１】
これにより中央処理ユニット５３は、自己の実行した所定の演算処理や、操作コマンドに応じた各種処理等の処理結果を画像データとして表示処理部５７に送出する。表示処理部５７は、中央処理ユニット５３から与えられた画像データに対しデジタルアナログ変換処理等の表示処理を施し、得られた画像信号をディスプレイ５８に送出することにより、当該ディスプレイ５８に対し画像信号に基づく画像を表示してユーザに目視させる。因みにディスプレイ５８は、液晶ディスプレイや陰極線管等の表示デバイスであって、筐体表面に直接取り付けられている場合や外付けされている場合がある。
【００３２】
また中央処理ユニット５３は、ユーザにより操作入力部５０を介してＣＤ内の音楽データをハードディスクに記録するように要求する操作入力信号が入力されると、これに応じてメディアドライブ５９によりＣＤから音楽データを再生すると共に、当該再生した音楽データをデータ処理部６０に送出する。そして中央処理ユニット５３は、データ処理部６０において、かかる音楽データに対しハードディスクへの記録用に圧縮符号化処理や暗号化処理等の所定の処理（以下、これを記録処理と呼ぶ）を施した後、ハードディスクドライブ５５に送出してハードディスクに記憶する。
【００３３】
ところでＣＤには、データ記録面に音楽データ記録領域と管理データ記録領域とが設けられている。かかる音楽データ記録領域には、１又は複数楽曲の音楽データが記録されている。また管理データ記録領域には、音楽データ記録領域に記録されている音楽データを管理するための、個々の音楽データに対する再生時間や、再生の順番、その音楽データ記録領域における再生開始位置等のＴＯＣ（Table Of Contents ）と呼ばれる管理データが記録されている。従って中央処理ユニット５３は、メディアドライブ５９によりＣＤの音楽データ記録領域から音楽データを読み出す場合、当該ＣＤの管理データ記録領域から管理データも合わせて読み出す。そして中央処理ユニット５３は、かかる管理データに基づきＣＤ固有の管理情報を生成し、当該生成した管理情報を通信処理部６１及びネットワークインタフェース６２を順次介してディスク情報提供サーバＳＶ２に送信する。その結果、中央処理ユニット５３は、ディスク情報提供サーバＳＶ２から返信された対応するディスク情報をネットワークインタフェース６２及び通信処理部６１を順次介して受信すると共に、当該受信したディスク情報をハードディスクドライブ５５に送出してハードディスクに記憶する。
【００３４】
そして中央処理ユニット５３は、ユーザにより操作入力部５０を介してハードディスクドライブ５５内の音楽データが指定され、かつ当該指定された音楽データを再生するように要求する操作入力信号が入力されると、これに応じてハードディスクドライブ５５のハードディスクから、当該指定された音楽データを読み出してデータ処理部６０に送出する。データ処理部６０は、中央処理ユニット５３から与えられた音楽データに対し伸張処理や暗号化を解く復号処理等の所定の処理（以下、これを再生処理と呼ぶ）を施して音声処理部６３に送出する。音声処理部６３は、データ処理部６０から与えられた音楽データに対しデジタルアナログ変換処理や増幅処理等の音声処理を施し、得られた音楽信号をスピーカ６４に送出する。これにより中央処理ユニット５３は、スピーカ６４から音楽信号に基づく楽曲を出力させてユーザに聴かせることができる。
【００３５】
さらに中央処理ユニット５３は、ユーザにより操作入力部５０を介して楽曲選択ページ情報３２を取得するように要求する操作入力信号が入力されると、これに応じてページ情報要求信号を通信処理部６１及びネットワークインタフェース６２を順次介して音楽データ配信サーバＳＶ１に送信する。その結果、中央処理ユニット５３は、音楽データ配信サーバＳＶ１から送信された最上位の楽曲選択ページ情報３２をネットワークインタフェース６２及び通信処理部６１を順次介して受信する。そして中央処理ユニット５３は、かかる最上位の楽曲選択ページ情報３２に基づいて楽曲選択画像データを生成し、当該生成した楽曲選択画像データを表示処理部５７を介してディスプレイ５８に送出する。これにより中央処理ユニット５３は、ディスプレイ５８に対し図９に示すような楽曲選択画像７０を表示する。
【００３６】
この場合、かかる楽曲選択画像７０は、当該楽曲選択画像７０内の画像水平方向（以下、これを左右方向と呼ぶ）右側に、画像垂直方向（以下、これを上下方向と呼ぶ）に沿って並べられた複数のジャンル表示欄７１Ａ乃至７１Ｅを有するジャンル選択部７１が設けられている。そしてジャンル選択部７１の各ジャンル表示欄７１Ａ乃至７１Ｅには、楽曲選択ページ情報３２に含まれるジャンルリスト情報３３内のジャンルの名称が表示されている。因みにジャンル選択部７１には、当該ジャンル選択部７１内に表示されるジャンル表示欄７１Ａ乃至７１Ｅを切り替え表示するための帯状のスクロール操作部７１Ｆが設けられている。またかかる楽曲選択画像７０内の左側には、例えば音楽データ配信サーバＳＶ１側でユーザに対し積極的に紹介するように選定した楽曲（以下、これをおすすめ楽曲と呼ぶ）に関連する画象を表示させる関連画像表示部７２が設けられており、かかる関連画像表示部７２には、例えばジャケット写真が表示されている。さらに楽曲選択画像７０内において関連画像表示部７２の下側には、おすすめ楽曲のタイトル（又はアーティスト名）等を表示するタイトル表示部７３が設けられている。因みに楽曲選択画像７０の下端には、操作ボタン通知領域７４が設けられている。かかる操作ボタン通知領域７４には、楽曲選択画像７０上で各種入力を行う際に、リモートコントローラ等に設けられた各種操作ボタン（すなわち、操作入力部５０）のうち操作命令の入力に利用可能な（すなわち、有効な）操作ボタンをユーザに通知するための、ボタンマークが表示されている。
【００３７】
中央処理ユニット５３は、ディスプレイ５８に対し、かかる楽曲選択画像７０を表示した状態でユーザ操作によりジャンル選択部７１内で例えば「邦楽」というジャンルの名称が選択指示される（すなわち、選択された後、かかる選択が決定される）と、最上位の楽曲選択ページ情報３２に含まれているジャンルリスト情報３３内の「邦楽」というジャンルの名称に対応する選択ページアドレスに従って、下位の楽曲選択ページ情報３２Ａを取得要求するページ情報要求信号を通信処理部６１及びネットワークインタフェース６２を順次介して音楽データ配信サーバＳＶ１に送信する。その結果、中央処理ユニット５３は、音楽データ配信サーバＳＶ１から送信された、最上位よりも１階層下位の楽曲選択ページ情報３２Ａをネットワークインタフェース６２及び通信処理部６１を順次介して受信する。この場合、中央処理ユニット５３は、かかる最上位よりも１階層下位の楽曲選択ページ情報３２Ａに基づいて楽曲選択画像データを生成し、当該生成した楽曲選択画像データを表示処理部５７を介してディスプレイ５８に送出する。これにより中央処理ユニット５３は、ディスプレイ５８に対し図１０に示すような楽曲選択画像７５を表示する。
【００３８】
この場合、かかる楽曲選択画像７５は、上下方向に沿って並べられた複数のアーティスト表示欄７６Ａ乃至７６Ｅを有するアーティスト選択部７６が設けられている。そしてアーティスト選択部７６の各アーティスト表示欄７６Ａ乃至７６Ｅには、楽曲選択ページ情報３２Ａに含まれるアーティストリスト情報３９Ａ内のアーティスト名が表示されている。因みにアーティスト選択部７６には、当該アーティスト選択部７６内に表示されるアーティスト表示欄７６Ａ乃至７６Ｅを切り替え表示するための帯状のスクロール操作部７６Ｆが設けられている。また各アーティスト表示欄７６Ａ乃至７６Ｅのうち、試聴データの試聴楽曲識別情報が関連付けられているアーティスト名を表示する（すなわち、試聴の許可された楽曲に対応するアーティスト名を表示する）アーティスト表示欄７６Ａ及び７６Ｂ並びに７６Ｄには、例えばスピーカの形状を模式的に示すマークでなる試聴可能通知表示子７７が表示されている。これにより楽曲選択画像７５は、アーティスト表示欄７６Ａ及び７６Ｂ並びに７６Ｄ内の試聴可能通知表示子７７を介してユーザに対し、当該アーティスト表示欄７６Ａ及び７６Ｂ並びに７６Ｄに表示しているアーティストの楽曲が試聴可能であることを通知する。因みに楽曲選択画像７５内の下側には、図９について上述した楽曲選択画像７０と同様に操作ボタン通知領域７４が設けられている。
【００３９】
中央処理ユニット５３は、ディスプレイ５８に対し、かかる楽曲選択画像７５を表示した状態でユーザ操作によりアーティスト選択部７６内の例えば試聴楽曲の関連付けられた「ａｂｃｄ」というアーティスト名が選択される（すなわち、ユーザ操作に応じてアーティスト表示欄７６Ａを他とは異なる表示状態にする（例えば、フォーカスをあてる））と、楽曲選択ページ情報３２Ａに含まれているアーティストリスト情報３９Ａ内の対応する試聴楽曲識別情報に従って、試聴データを要求する試聴要求信号を通信処理部６１及びネットワークインタフェース６２を順次介して音楽データ配信サーバＳＶ１に送信する。その結果、中央処理ユニット５３は、音楽データ配信サーバＳＶ１からストリーミング形式で送信された試聴データをネットワークインタフェース６２及び通信処理部６１を順次介して受信すると共に、当該受信した試聴データに対しデータ処理部６０で再生処理を施した後、音声処理部６３で音声処理を施し、得られた試聴信号をスピーカ６４に送出する。これにより中央処理ユニット５３は、スピーカ６４から試聴信号に基づく試聴楽曲を出力させてユーザに試聴させる。因みに中央処理ユニット５３は、図９について上述した楽曲選択画像７０を表示した場合でも、ジャンルの名称に試聴の許可された楽曲が関連付けられていると、ユーザに対し同様に試聴楽曲を試聴させることができる。
【００４０】
また中央処理ユニット５３は、ユーザ操作により楽曲選択画像７５のアーティスト選択部７６内で例えば「ａｂｃｄ」というアーティスト名が選択指示されると、楽曲選択ページ情報３２Ａに含まれているアーティストリスト情報３９Ａ内の「ａｂｃｄ」というアーティスト名に対応する選択ページアドレスに従って、下位の楽曲選択ページ情報３２ＡＡを取得要求するページ情報要求信号を通信処理部６１及びネットワークインタフェース６２を順次介して音楽データ配信サーバＳＶ１に送信する。その結果、中央処理ユニット５３は、音楽データ配信サーバＳＶ１から送信された楽曲選択ページ情報３２ＡＡをネットワークインタフェース６２及び通信処理部６１を順次介して受信する。この場合、中央処理ユニット５３は、かかる楽曲選択ページ情報３２ＡＡに基づいて楽曲選択画像データを生成し、当該生成した楽曲選択画像データを表示処理部５７を介してディスプレイ５８に送出する。これにより中央処理ユニット５３は、ディスプレイ５８に対し図１１に示すような楽曲選択画像８０を表示する。
【００４１】
この場合、かかる楽曲選択画像８０は、上下方向に沿って並べられた複数の曲名表示欄８１Ａ乃至８１Ｅを有する曲名選択部８１が設けられている。そして曲名選択部８１の各曲名表示欄８１Ａ乃至８１Ｅには、楽曲選択ページ情報３２ＡＡに含まれる楽曲リスト情報４５Ａ内の曲名が表示されている。因みに曲名選択部８１には、当該曲名選択部８１内に表示される曲名表示欄８１Ａ乃至８１Ｅを切り替え表示するための帯状のスクロール操作部８１Ｆが設けられている。また各曲名表示欄８１Ａ乃至８１Ｅのうち、試聴データの試聴楽曲識別情報が関連付けられている曲名を表示する（すなわち、試聴の許可された楽曲の曲名を表示する）曲名表示欄８１Ａ及び８１Ｃ並びに８１Ｄには試聴可能通知表示子７７が表示されている。これにより楽曲選択画像８０は、曲名表示欄８１Ａ及び８１Ｃ並びに８１Ｄ内の試聴可能通知表示子７７を介して、ユーザに対し当該曲名表示欄８１Ａ及び８１Ｃ並びに８１Ｄに表示している曲名の楽曲が試聴可能であることを通知する。因みに楽曲選択画像８０内の下側には、図９について上述した楽曲選択画像７０と同様に操作ボタン通知領域７４が設けられている。
【００４２】
中央処理ユニット５３は、ディスプレイ５８に対し、かかる楽曲選択画像８０を表示した状態でユーザ操作により曲名選択部８１内の例えば試聴楽曲の関連付けられた「ＡＢＣＤ」という曲名が選択されると、楽曲選択ページ情報３２ＡＡに含まれている楽曲リスト情報４５Ａ内の対応する試聴楽曲識別情報に従って、試聴データを要求する試聴要求信号を通信処理部６１及びネットワークインタフェース６２を順次介して音楽データ配信サーバＳＶ１に送信する。その結果、中央処理ユニット５３は、音楽データ配信サーバＳＶ１からストリーミング形式で送信された試聴データをネットワークインタフェース６２及び通信処理部６１を順次介して受信すると共に、当該受信した試聴データに対しデータ処理部６０で再生処理を施した後、音声処理部６３で音声処理を施し、得られた試聴信号をスピーカ６４に送出する。これにより中央処理ユニット５３は、スピーカ６４から試聴信号に基づく試聴楽曲を出力させてユーザに試聴させる。
【００４３】
また中央処理ユニット５３は、ユーザ操作により楽曲選択画像８０の曲名選択部８１内で例えば「ＡＢＣＤ」という曲名が選択指示されると、楽曲選択ページ情報３２ＡＡに含まれている楽曲リスト情報４５Ａ内の「ＡＢＣＤ」という曲名に対応する購入ページアドレスに従って、楽曲購入ページ情報を取得要求するページ情報要求信号を通信処理部６１及びネットワークインタフェース６２を順次介して音楽データ配信サーバＳＶ１に送信する。その結果、中央処理ユニット５３は、音楽データ配信サーバＳＶ１から送信された楽曲購入ページ情報をネットワークインタフェース６２及び通信処理部６１を順次介して受信する。この場合、中央処理ユニット５３は、かかる楽曲購入ページ情報に基づいて楽曲購入画像データを生成し、当該生成した楽曲購入画像データを表示処理部５７を介してディスプレイ５８に送出する。これにより中央処理ユニット５３は、ディスプレイ５８に対し楽曲購入画像を表示する。
【００４４】
そして中央処理ユニット５３は、ユーザ操作により楽曲購入画像上で「ＡＢＣＤ」という曲名の音楽データに対するダウンロードが実行要求されると、楽曲購入ページ情報内のダウンロード楽曲識別情報に従って、対応する音楽データのダウンロードを実行要求するダウンロード要求信号を通信処理部６１及びネットワークインタフェース６２を順次介して音楽データ配信サーバＳＶ１に送信する。その結果、中央処理ユニット５３は、音楽データ配信サーバＳＶ１から送信された音楽データ及び対応する属性情報をネットワークインタフェース６２及び通信処理部６１を順次介して受信する。これにより中央処理ユニット５３は、かかる音楽データをハードディスクドライブ５５に送出してハードディスクに記憶する。また中央処理ユニット５３は、属性情報もハードディスクドライブ５５に送出してハードディスクに記憶する。
【００４５】
中央処理ユニット５３は、音楽データ配信サーバＳＶ１から取得した音楽データについても、ユーザにより操作入力部５０を介して当該音楽データが指定され、かつ当該指定された音楽データを再生するように要求する操作入力信号が入力されると、これに応じてハードディスクドライブ５５のハードディスクから、当該指定された音楽データを読み出してデータ処理部６０に送出する。また中央処理ユニット５３は、このときもデータ処理部６０で、かかる音楽データに対し再生処理を施した後、音声処理部６３で音声処理を施し、得られた音楽信号をスピーカ６４に送出する。これにより中央処理ユニット５３は、スピーカ６４から音楽信号に基づく楽曲を出力させてユーザに聴かせることができる。
【００４６】
因みに中央処理ユニット５３は、ディスプレイ５８に対し最上位の楽曲選択画像７０を表示した状態でユーザ操作によりジャンル選択部７１内で例えば「邦楽ランキング」というジャンルの名称が選択指示されたときには、上述と同様に音楽データ配信サーバＳＶ１から下位の対応する楽曲選択ページ情報を取得してディスプレイ５８に対し図１２に示すような楽曲選択画像８５を表示する。かかる楽曲選択画像８５は、アーティスト選択部８６内の上下方向に沿って並べられた複数のアーティスト表示欄８６Ａ乃至８６Ｅに対し、楽曲選択ページ情報に含まれるアーティストリスト情報内のアーティスト名が表示されている。因みに楽曲選択画像８５は、アーティスト選択部８６にスクロール操作部８６Ｆが設けられている。また楽曲選択画像８５は、各アーティスト表示欄８６Ａ乃至８６Ｅのうち、試聴データの試聴楽曲識別情報が関連付けられているアーティスト名を表示するアーティスト表示欄８６Ａ乃至８６Ｄには試聴可能通知表示子７７が表示されている。さらにまた楽曲選択画像８５は、当該楽曲選択画像８５内の下側に、図９について上述した楽曲選択画像７０と同様の操作ボタン通知領域７４が設けられている。
【００４７】
また中央処理ユニット５３は、ディスプレイ５８に対し最上位の楽曲選択画像７０を表示した状態でユーザ操作によりジャンル選択部７１内で例えば「新作」というジャンルの名称が選択指示されたときには、上述と同様に音楽データ配信サーバＳＶ１から下位の対応する楽曲選択ページ情報を取得してディスプレイ５８に対し図１３に示すような楽曲選択画像８８を表示する。かかる楽曲選択画像８８は、アーティスト選択部８９内の上下方向に沿って並べられた複数のアーティスト表示欄８９Ａ乃至８９Ｅに対し、楽曲選択ページ情報に含まれるアーティストリスト情報内のアーティスト名が表示されている。因みに楽曲選択画像８８は、アーティスト選択部８９にスクロール操作部８９Ｆが設けられている。また楽曲選択画像８８は、各アーティスト表示欄８９Ａ乃至８９Ｅのうち、試聴データの試聴楽曲識別情報が関連付けられているアーティスト名を表示するアーティスト表示欄８９Ｂ及び８９Ｃ並びに８９Ｅには試聴可能通知表示子７７が表示されている。さらにまた楽曲選択画像８８は、当該楽曲選択画像８８内の下側に、図９について上述した楽曲選択画像７０と同様の操作ボタン通知領域７４が設けられている。
【００４８】
そして中央処理ユニット５３は、ディスプレイ５８に対し、かかる楽曲選択画像８５及び８８を表示した場合も、上述した楽曲選択画像７５を表示したときと同様にユーザ操作に応じて、音楽データ配信サーバＳＶ１から試聴データや下位の楽曲選択ページ情報を取得することができる。
【００４９】
このようにして図１４に示すように、中央処理ユニット５３は、ディスプレイ５８に最上位の楽曲選択画像７０を表示すると、ユーザ操作に応じて当該楽曲選択画像７０を楽曲選択画像７５及び楽曲選択画像８０、楽曲選択画像７５及び楽曲選択画像９０、楽曲選択画像７５及び楽曲選択画像９１と順次遷移させ、又は楽曲選択画像７０を楽曲選択画像９２及び楽曲選択画像９３、楽曲選択画像９２及び楽曲選択画像９４、楽曲選択画像９２及び楽曲選択画像９５と順次遷移させる。また中央処理ユニット５３は、ディスプレイ５８に表示した最上位の楽曲選択画像７０を、ユーザ操作に応じて楽曲選択画像８５及び楽曲選択画像９６、楽曲選択画像８５及び楽曲選択画像９７、楽曲選択画像８５及び楽曲選択画像９８と順次遷移させ、又は楽曲選択画像８８及び楽曲選択画像９９、楽曲選択画像８８及び楽曲選択画像１００、楽曲選択画像８８及び楽曲選択画像１０１と順次遷移させる。そして中央処理ユニット５３は、このように音楽データ配信サーバＳＶ１から取得している楽曲選択ページ情報内の選択ページアドレスに従って楽曲選択画像７０、７５、８０、８５、８８、９０乃至１０１を遷移させることで、ダウンロード可能な多数の音楽データの中から所望の楽曲の音楽データを、順次種別で絞り込んで選択させることができる。
【００５０】
かかる構成に加えて、このデータ記憶再生装置２１の場合、中央処理ユニット５３は、ハードディスクドライブ５５のハードディスクに楽曲情報データベースを構築している。そして中央処理ユニット５３は、ＣＤから音楽データを読み出してハードディスクに記憶するとき、当該音楽データに対応するディスク情報（すなわち、ディスク情報提供サーバＳＶ２から取得したディスク情報）をハードディスク内の楽曲情報データベースに登録する。また中央処理ユニット５３は、音楽データ配信サーバＳＶ１から音楽データをダウンロードしてハードディスクに記憶するときも、当該音楽データと共に音楽データ配信サーバＳＶ１から取得した属性情報をハードディスク内の楽曲情報データベースに登録する。
【００５１】
そして中央処理ユニット５３は、ハードディスク内の楽曲情報データベースにディスク情報や属性情報を登録して当該楽曲情報データベースを更新する毎に（すなわち、ハードディスクに対し音楽データを記憶する毎に）、これらディスク情報や属性情報に基づいて、ハードディスクに記憶している音楽データに対するジャンル又はアーティスト毎（すなわち、ジャンルの名称又はアーティスト名毎）の記憶数（以下、これを音楽データ数と呼ぶ）を演算する。また中央処理ユニット５３は、このとき、ジャンル又はアーティスト毎の演算結果を、ハードディスクに記憶している音楽データに対する統計データとしてハードディスク内の楽曲情報データベースに登録し当該統計データの内容を更新する。また中央処理ユニット５３は、統計データを生成したときには、かかる統計データに基づいて、予め選定された規定数以上の音楽データ数を判別すると共に、当該規定数以上の音楽データ数に対応するジャンルの名称又はアーティスト名を検出する。そして中央処理ユニット５３は、その検出したジャンルの名称又はアーティスト名をキーワードとしてハードディスク内の楽曲情報データベースに登録し当該キーワードの内容も更新する。このようにして中央処理ユニット５３は、かかるキーワードを、ハードディスクに記憶した音楽データ（すなわち、データ記憶再生装置２１を利用してユーザの取得した楽曲）に対するユーザの嗜好を示す情報として、適宜更新しながら保持する。
【００５２】
この状態で中央処理ユニット５３は、ユーザにより操作入力部５０を介して楽曲選択ページ情報３２を取得するように要求する操作入力信号が入力され、これに応じてページ情報要求信号を音楽データ配信サーバＳＶ１に送信すると、音楽データ配信サーバＳＶ１から送信される最上位の楽曲選択ページ情報３２を取り込んだか否かを検出する。そして中央処理ユニット５３は、かかる最上位の楽曲選択ページ情報３２を取り込んだことを検出すると、上述と同様に楽曲選択画像７０を生成してディスプレイ５８に表示するものの、当該楽曲選択ページ情報３２内でリスト識別子に従いジャンルリスト情報３３を判別する。また中央処理ユニット５３は、楽曲選択ページ情報３２内で判別したジャンルリスト情報３３に含まれる種別リスト３７の種別と、ハードディスク内の楽曲情報データベースに登録しているキーワードとを比較する。これにより中央処理ユニット５３は、かかるジャンルリスト情報３３内に、キーワードと少なくとも一部が一致する種別が含まれているか否かを判別する。その結果、中央処理ユニット５３は、ジャンルリスト情報３３内に、キーワードと一致した種別が含まれていると、当該ジャンルリスト情報３３内からキーワードと一致した種別に対応する試聴楽曲識別情報を収集すると共に、当該種別に対応する（すなわち、収集した試聴楽曲識別情報に対応する）購入ページアドレスを収集する。そして図１５に示すように、中央処理ユニット５３は、このようにジャンルリスト情報３３内から収集した試聴楽曲識別情報のリスト（以下、これを収集識別情報リストと呼ぶ）１０８を作成すると共に、当該収集した購入ページアドレスのリスト（以下、これを収集アドレスリストと呼ぶ）１０９を作成する。また中央処理ユニット５３は、これら収集識別情報リスト１０８及び収集アドレスリスト１０９を関連付けて（すなわち、対応する試聴楽曲識別情報及び購入ページアドレス同士を関連付けて）リスト情報（以下、これを連続試聴リスト情報と呼ぶ）１１０を生成し、当該生成した連続試聴リスト情報１１０をＲＡＭ５６又はハードディスクドライブ５５のハードディスクに一時記憶する。
【００５３】
さらに中央処理ユニット５３は、ジャンルリスト情報３３内からの試聴楽曲識別情報及び対応する購入ページアドレスの収集が終了すると、当該ジャンルリスト情報３３内の選択ページアドレスに従って自動的に（すなわち、ユーザ操作による下位の楽曲選択ページ情報３２Ａ及び３２Ｂに対する取得要求の有無にかかわらずに）ページ情報要求信号を音楽データ配信サーバＳＶ１に送信する。これにより中央処理ユニット５３は、音楽データ配信サーバＳＶ１から送信される、下位の楽曲選択ページ情報３２Ａ及び３２Ｂ（すなわち、最上位の楽曲選択ページ情報３２から直接遷移可能な楽曲選択ページ情報３２Ａ及び３２Ｂ）を取り込んだか否かを検出する。
【００５４】
そして中央処理ユニット５３は、かかる最上位よりも１階層下位の楽曲選択ページ情報３２Ａ及び３２Ｂを取り込んだことを検出すると、当該楽曲選択ページ情報３２Ａ及び３２Ｂ内でリスト識別子に従いアーティストリスト情報３９Ａ及び３９Ｂを判別する。また中央処理ユニット５３は、楽曲選択ページ情報３２Ａ及び３２Ｂ内で判別したアーティストリスト情報３９Ａ及び３９Ｂに含まれる種別リスト４３の種別と、ハードディスク内の楽曲情報データベースに登録しているキーワードとを比較するようにして、上述と同様にアーティストリスト情報３９Ａ及び３９Ｂ内からキーワードと関連する試聴楽曲識別情報及び対応する購入ページアドレスを収集する。そして中央処理ユニット５３は、このようにアーティストリスト情報３９Ａ及び３９Ｂ内から収集した試聴楽曲識別情報及び購入ページアドレスを互いに関連付けて連続試聴リスト情報１１０に追加することにより当該連続試聴リスト情報１１０を更新する。
【００５５】
さらに中央処理ユニット５３は、アーティストリスト情報３９Ａ及び３９Ｂ内からの試聴楽曲識別情報及び対応する購入ページアドレスの収集が終了すると、当該アーティストリスト情報３９Ａ及び３９Ｂ内の選択ページアドレスに従って自動的に（すなわち、ユーザ操作による下位の楽曲選択ページ情報３２ＡＡ乃至３２ＢＡに対する取得要求の有無にかかわらずに）ページ情報要求信号を音楽データ配信サーバＳＶ１に送信する。これにより中央処理ユニット５３は、音楽データ配信サーバＳＶ１から送信される楽曲選択ページ情報３２ＡＡ乃至３２ＢＡ（すなわち、最上位よりも１階層下位の楽曲選択ページ情報３２Ａ及び３２Ｂから直接遷移可能な楽曲選択ページ情報３２ＡＡ乃至３２ＢＡ）を取り込んだか否かを検出する。そして中央処理ユニット５３は、かかる楽曲選択ページ情報３２ＡＡ乃至３２ＢＡを取り込んだことを検出すると、当該楽曲選択ページ情報３２ＡＡ乃至３２ＢＡ内でリスト識別子に従い楽曲リスト情報４５Ａ乃至４５Ｃを判別する。この場合、中央処理ユニット５３は、キーワードを特には用いずに、楽曲選択ページ情報３２ＡＡ乃至３２ＢＡ内で判別した楽曲リスト情報４５Ａ乃至４５Ｃに含まれる全ての試聴楽曲識別情報を収集すると共に、当該収集した試聴楽曲識別情報に対応する購入ページアドレスも収集する。そして中央処理ユニット５３は、このように楽曲リスト情報４５Ａ乃至４５Ｃ内から収集した試聴楽曲識別情報及び対応する購入ページアドレスを互いに関連付けて連続試聴リスト情報１１０に追加することにより当該連続試聴リスト情報１１０を更新する。
【００５６】
このようにして中央処理ユニット５３は、ユーザにより最上位の楽曲選択ページ情報３２が取得要求されると、これに応じて少なくとも２階層分の当該最上位の楽曲選択ページ情報及び例えばこれよりも１階層下位の楽曲選択ページ情報３２Ａ及び３２Ｂを順次自動的に取得しながら、これら楽曲選択ページ情報３２及び３２Ａ並びに３２Ｂ内からキーワードに関連する試聴楽曲識別情報及び対応する購入ページアドレスを収集する。また中央処理ユニット５３は、引き続き少なくとも２階層分の下位の楽曲選択ページ情報３２ＡＡ乃至３２ＢＡを自動的に取得しながら、当該取得した楽曲選択ページ情報３２ＡＡ乃至３２ＢＡ内から全ての試聴楽曲識別情報及び対応する購入ページアドレスを収集する。そして中央処理ユニット５３は、このように楽曲選択ページ情報３２、３２Ａ乃至３２ＢＡ内から収集した試聴楽曲識別情報及び対応する購入ページアドレスを用いて連続試聴リスト情報１１０（図１５）を生成する。
【００５７】
因みに中央処理ユニット５３は、音楽データ配信サーバＳＶ１から最上位の楽曲選択ページ情報３２を取り込んで試聴楽曲識別情報の収集を開始する毎に、当該試聴楽曲識別情報の収集に使用した楽曲選択ページ情報３２、３２Ａ乃至３２ＢＡを判別するための収集使用済ページリストを作成し、これをＲＡＭ５６又はハードディスクドライブ５５のハードディスクに一時記憶する。そして中央処理ユニット５３は、各楽曲選択ページ情報３２、３２Ａ乃至３２ＢＡを試聴楽曲識別情報の収集に使用する毎に、当該試聴楽曲識別情報の収集に使用した楽曲選択ページ情報３２、３２Ａ乃至３２ＢＡのページ識別情報を収集使用済ページリストに追加する。従って中央処理ユニット５３は、かかる収集使用済ページリストの内容に基づき、各楽曲選択ページ情報３２、３２Ａ乃至３２ＢＡを、それぞれ試聴楽曲識別情報の収集に使用したものであるか否かを判別することができる。その結果、中央処理ユニット５３は、試聴楽曲識別情報の収集に同一の楽曲選択ページ情報３２、３２Ａ乃至３２ＢＡを重複して使用して、かかる試聴楽曲識別情報の収集用の処理を無駄に実行することを回避している。
【００５８】
ところで中央処理ユニット５３は、予め設定された設定情報に従い、全ての楽曲選択ページ情報３２、３２Ａ乃至３２ＢＡ内から１つ目の試聴楽曲識別情報を収集したとき、又は規定の数の試聴楽曲識別情報を収集したとき、さらには全ての楽曲選択ページ情報３２、３２Ａ乃至３２ＢＡ内からの試聴楽曲識別情報の収集が終了したときに、連続試聴リスト情報１１０に従い試聴楽曲を連続的に自動出力してユーザに試聴させる。すなわち、中央処理ユニット５３は、試聴楽曲の連続的な自動出力を開始すると、連続試聴リスト情報１１０内で各試聴楽曲識別情報のうち例えばリストの並びに従い１つの（先頭の）試聴楽曲識別情報を試聴楽曲指定用として注目する注目試聴楽曲識別情報として自動的に選定する。そして中央処理ユニット５３は、注目試聴楽曲識別情報として選定した試聴楽曲識別情報に従って、音楽データ配信サーバＳＶ１に対し対応する試聴データを要求する。その結果、中央処理ユニット５３は、音楽データ配信サーバＳＶ１から試聴データがストリーミング形式で送信されると、かかる試聴データをネットワークインタフェース６２及び通信処理部６１を順次介して受信しながら、かかる試聴データに対しデータ処理部６０で再生処理を施した後、音声処理部６３で音声処理を施し、得られた試聴信号をスピーカ６４に送出する。これにより中央処理ユニット５３は、スピーカ６４から試聴信号に基づく試聴楽曲を出力させてユーザに試聴させる。
【００５９】
また中央処理ユニット５３は、データ処理部６０を介して試聴データに対する再生処理の終了を検出すると、連続試聴リスト情報１１０内で各試聴楽曲識別情報のうちリストの並びに従い新たに１つの試聴楽曲識別情報を注目試聴楽曲識別情報として自動的に選定する。そして中央処理ユニット５３は、新たに注目試聴楽曲識別情報として選定した試聴楽曲識別情報に従って、音楽データ配信サーバＳＶ１に対し対応する試聴データを要求する。その結果、中央処理ユニット５３は、音楽データ配信サーバＳＶ１から試聴データがストリーミング形式で送信されると、かかる試聴データをネットワークインタフェース６２及び通信処理部６１を順次介して受信しながら、かかる試聴データに対しデータ処理部６０で再生処理を施した後、音声処理部６３で音声処理を施し、得られた試聴信号をスピーカ６４に送出する。これにより中央処理ユニット５３は、スピーカ６４から試聴信号に基づく試聴楽曲を出力させてユーザに試聴させる。
【００６０】
このようにして中央処理ユニット５３は、試聴データに対する再生処理の終了を検出する毎に、連続試聴リスト情報１１０内（すなわち、収集識別情報リスト１０８内）の試聴楽曲識別情報を順次注目試聴楽曲識別情報として自動的に選定すると共に、当該注目試聴楽曲識別情報として選定した試聴楽曲識別情報に従い対応する試聴データを音楽データ配信サーバＳＶ１から取得してストリーミング再生する。これにより中央処理ユニット５３は、ユーザが楽曲選択画像７０、７５、８０、８５、８８、９０乃至１０１を適宜遷移させて所望の楽曲を選択するまでの間、ユーザ操作に応じた楽曲選択画像７０、７５、８０、８５、８８、９０乃至１０１の遷移とは独立して連続試聴リスト情報１１０を自動的に生成すると共に、当該生成した連続試聴リスト情報１１０に従い複数の試聴楽曲を連続的に自動出力してユーザに試聴させることができる。また中央処理ユニット５３は、試聴楽曲を連続的に自動出力する場合、連続試聴リスト情報１１０内の複数の試聴楽曲識別情報に対応する複数の試聴データを循環的に繰り返すように取得して試聴楽曲を順次連続的に自動出力する。
【００６１】
因みに中央処理ユニット５３において、試聴データに対する再生処理（すなわち、ストリーミング再生）の終了を検出する方法としては、例えば、以下のような手法が考えられる。しかしながらかかる手法に限定されるものではない。まず中央処理ユニット５３は、スピーカ６４やデジタルアウトのためのインタフェースの前段に位置するデータ処理部６０内部のバッファを管理することにより再生処理の終了を検出することが可能である。例えば、データ処理部６０は、試聴データ（すなわち、リニアＰＣＭデータ）をバッファに入力し、当該バッファから出力した試聴データを音声処理部６３内のＤ／Ａコンバータに入力させることにより試聴信号（すなわち、アナログ信号）に変換させ、スピーカ６４に供給させる。またデータ処理部６０は、例えば、内部の復号処理部から出力される試聴データ（すなわち、リニアＰＣＭデータ）をインタフェースコントローラ内のバッファに一旦入力し、当該バッファから出力した試聴データをデジタルアウトのための伝送プロトコルに対応するフォーマットに変換して当該インタフェースコントローラから出力し、インタフェースを介してデジタルアウトさせる。すなわち中央処理ユニット５３は、これらバッファへの試聴データの書き込みが終了し、かつバッファに書き込まれた試聴データが全て読み出されたことを検出することにより、試聴データの再生処理の終了を検出する。
【００６２】
ところで中央処理ユニット５３は、試聴データ内に終了タイムコードが存在するとき、再生中に現在のタイムコードを検出し、現在のタイムコードが終了タイムコードと一致したとき、試聴データの再生処理が終了したと判別することもできる。さらに中央処理ユニット５３は、試聴データの再生中に現在のタイムコードを検出し、現在のタイムコードが所定時間停止したことを検出すると、試聴データの再生処理が終了したと判別することもできる。さらにまた中央処理ユニット５３は、試聴データの再生中に、当該再生中の試聴データのレベルが所定値以下のままの状態が所定時間続いたことを検出すると、試聴データの再生処理が終了したと判別することもできる。
【００６３】
これに加えて中央処理ユニット５３は、連続試聴リスト情報１１０に従い、操作入力部５０の各種操作キーのうち、楽曲購入ページ情報の購入ページアドレスにアクセスする（すなわち、楽曲購入ページ情報を取得要求する）操作入力信号を入力するための特定の操作キーに対し、再生処理中の試聴データに対応する購入ページアドレス（すなわち、再生中の試聴データの試聴楽曲識別情報に対応する購入ページアドレス）を関連付けるようにして、当該再生処理している試聴データに応じて、かかる特定の操作キーに関連付ける購入ページアドレスを更新する。従って中央処理ユニット５３は、連続試聴リスト情報１１０に従いデータ処理部６０により試聴データを順次再生処理している間に、ユーザにより特定の操作キーが操作されると、これに応じて、その時点で特定の操作キーに関連付けていた購入ページアドレスに従い、楽曲購入ページ情報取得要求用のページ情報要求信号を通信処理部６１及びネットワークインタフェース６２を順次介して音楽データ配信サーバＳＶ１に送信する。その結果、中央処理ユニット５３は、音楽データ配信サーバＳＶ１から送信された楽曲購入ページ情報をネットワークインタフェース６２及び通信処理部６１を順次介して受信すると、上述と同様にディスプレイ５８に対し、再生中の試聴データに対応する楽曲購入画像を表示する。これにより中央処理ユニット５３は、ユーザが試聴楽曲を試聴して元の楽曲が気に入り音楽データをダウンロードしたいと思ったとき、楽曲選択画像７０、７５、８０、８５、８８、９０乃至１０１をわざわざ遷移させて対応する曲名を選択指示させなくても、特定の操作キーを操作させるだけで楽曲購入画像を表示してダウンロードを実行要求させることができる。
【００６４】
ただし中央処理ユニット５３は、データ処理部６０において試聴データが再生処理されていないとき、特定の操作キーに関連付ける購入ページアドレスを削除する。そして中央処理ユニット５３は、このように特定の操作キーが、これに関連付ける購入ページアドレスを削除した状態でユーザにより操作されると、当該操作を受け付けないようにする。また中央処理ユニット５３は、音声処理部６３を介してデータ記憶再生装置２１に対するスピーカ６４の接続の有無や、試聴データの再生処理中にスピーカ６４から出力する試聴楽曲を消音（すなわち、ミュート）しているか否かも検出する。そして中央処理ユニット５３は、試聴データの再生中でも、消音やスピーカ６４の未接続により、当該スピーカ６４から試聴楽曲を出力してはいないことを検出している間に、ユーザにより特定の操作キーが操作されたときには、その時点で当該操作キーに対し購入ページアドレスを関連付けていても、かかる操作を受け付けないようにする。これにより中央処理ユニット５３は、ユーザにより試聴楽曲が試聴されている間に特定の操作キーが操作されると、ディスプレイ５８に対し、試聴中の試聴楽曲に対応する楽曲購入画像を表示して音楽データのダウンロードを実行可能にするものの、ユーザにより試聴楽曲が試聴されてはいないときに特定の操作キーが誤って操作されても、その操作に応じて楽曲購入ページ情報を取得することを未然に回避している。すなわち中央処理ユニット５３は、かかる構成により音楽データを誤ってダウンロードすることを回避している。
【００６５】
因みに中央処理ユニット５３は、データ記憶再生装置２１に対するスピーカ６４の接続の有無については、例えばスピーカ６４に設けられたコネクタと、データ記憶再生装置２１の対応するコネクタとの電気的な接続の有無を監視することで検出可能である。また中央処理ユニット５３は、試聴楽曲の消音の有無については、音声処理部６３内の増幅器を制御する際のゲインを監視することで、検出可能である。なお中央処理ユニット５３は、データ処理部６０で試聴データを再生処理していないとき、特定の操作キーに対し、関連付ける購入ページアドレスを削除せずに、例えばデータ記憶再生装置２１で予め保持している、取得すべき楽曲購入ページ情報がないことを通知するための通知ページ情報の供給元を示すネットワークアドレスを関連付けるようにして当該特定の操作キーに関連付けるネットワークアドレスを更新するようにしても良い。そして中央処理ユニット５３は、データ処理部６０において試聴データを再生処理してはいないときにユーザにより特定の操作キーが操作されたときには、これに関連付けているネットワークアドレスに従って外部から通知ページ情報を取得すると共に、当該通知ページ情報に基づいてディスプレイ５８に通知画像を表示して、ユーザに対し、この時点では、取得すべき楽曲購入ページ情報がないことを通知することもできる。
【００６６】
実際上、中央処理ユニット５３は、上述した連続試聴リスト情報１１０の生成及び試聴データに対する連続的な自動出力にかかる一連の再生処理をＲＯＭ５４又はハードディスクドライブ５５のハードディスクに記憶している再生プログラムに従って実行する。ただしかかる再生処理は、予め設定された設定情報に従い、１つ目又は所定数の試聴楽曲識別情報を収集した時点でこれら試聴楽曲識別情報に対応する試聴データを再生処理する場合、連続試聴リスト情報１１０生成用の処理と、試聴データ再生用の処理との２つの処理として同時並行的に実行される。このため、以下には、再生処理として、連続試聴リスト情報１１０生成用の処理を示す連続試聴リスト生成処理手順と、試聴データ再生用の処理を示す試聴データ再生処理手順とを順番に説明する。
【００６７】
まず中央処理ユニット５３は、音楽データ配信サーバＳＶ１から送信された最上位の楽曲選択ページ情報３２を取り込んだことを検出すると、再生プログラムに従って図１６に示す第１の連続試聴リスト生成処理手順ＲＴ１を開始する。中央処理ユニット５３は、かかる第１の連続試聴リスト生成処理手順ＲＴ１を開始すると、ステップＳＰ１において、音楽データ配信サーバＳＶ１から取り込んだ楽曲選択ページ情報３２に含まれるページ識別情報と、収集使用済ページリスト内のページ識別情報とを比較するようにして、当該楽曲選択ページ情報３２が試聴楽曲識別情報の収集に未使用であるか否かを判別する。このステップＳＰ１において肯定結果が得られると、このことは、かかる楽曲選択ページ情報３２を試聴楽曲識別情報の収集に未だ使用してはいないことを表している。従って中央処理ユニット５３は、このとき次のステップＳＰ２に移る。
【００６８】
ステップＳＰ２において中央処理ユニット５３は、楽曲選択ページ情報３２に含まれるジャンルリスト情報３３内から、キーワードに関連する試聴楽曲識別情報及び対応する購入ページアドレスを収集し、当該収集した試聴楽曲識別情報及び対応する購入ページアドレスを連続試聴リスト情報１１０に追加して、次のステップＳＰ３に移る。ステップＳＰ３において中央処理ユニット５３は、収集使用済ページリストに対し、この時点で試聴楽曲識別情報の収集に使用した楽曲選択ページ情報３２に含まれるページ識別情報を追加して、次のステップＳＰ４に移る。
【００６９】
ステップＳＰ４において中央処理ユニット５３は、この時点に試聴楽曲識別情報の収集に使用した楽曲選択ページ情報３２に含まれるジャンルリスト情報３３内の選択ページアドレスに基づいて、当該楽曲選択ページ情報３２よりも１階層下位の楽曲選択ページ情報３２Ａ及び３２Ｂの数（以下、これを下位ページ情報数と呼ぶ）ｎを設定し、次のステップＳＰ５に移る。ステップＳＰ５において中央処理ユニット５３は、この時点で試聴楽曲識別情報の収集に使用した楽曲選択ページ情報３２よりも下位に、試聴楽曲識別情報の収集に未だ使用してはいない楽曲選択ページ情報３２Ａ及び３２Ｂが存在するか否かを判別する。このステップＳＰ５において否定結果が得られると、このことは、この時点で試聴楽曲識別情報の収集に使用した楽曲選択ページ情報３２よりも下位に、未だ試聴楽曲識別情報の収集に使用してはいない楽曲選択ページ情報３２Ａ及び３２Ｂが存在することを表している。従って中央処理ユニット５３は、このときステップＳＰ６に移る。
【００７０】
ステップＳＰ６において中央処理ユニット５３は、最上位の楽曲選択ページ情報３２に含まれるジャンルリスト情報３３内の選択ページアドレスに従って音楽データ配信サーバＳＶ１に、対応する１つの楽曲選択ページ情報３２Ａ又は３２Ｂを要求する。その結果、中央処理ユニット５３は、楽曲選択ページ情報３２Ａ又は３２Ｂの取り込みを検出すると、上述したステップＳＰ１乃至ステップＳＰ３の処理と同様の処理を順次実行する。すなわち中央処理ユニット５３は、音楽データ配信サーバＳＶ１から取り込んだ楽曲選択ページ情報３２Ａ又は３２Ｂに含まれるページ識別情報と、収集使用済ページリスト内のページ識別情報とを比較するようにして当該楽曲選択ページ情報３２Ａ又は３２Ｂが試聴楽曲識別情報の収集に未使用であるか否かを判別する。その結果、かかる楽曲選択ページ情報３２Ａ又は３２Ｂを未だ試聴楽曲識別情報の収集に使用してはいないことが確認できると、引き続き楽曲選択ページ情報３２Ａ又は３２Ｂに含まれるアーティストリスト情報３９Ａ及び３９Ｂ内から、キーワードに関連する試聴楽曲識別情報及び対応する購入ページアドレスを収集して連続試聴リスト情報１１０に追加する。そして中央処理ユニット５３は、収集使用済ページリストに対し、この時点で試聴楽曲識別情報の収集に使用した楽曲選択ページ情報３２Ａ又は３２Ｂに含まれるページ識別情報を追加して、次のステップＳＰ７に移る。
【００７１】
ステップＳＰ７において中央処理ユニット５３は、ステップＳＰ４で設定した下位ページ情報数ｎから１を減算して当該下位ページ情報数ｎを更新して、ステップＳＰ５に戻る。これにより中央処理ユニット５３は、ステップＳＰ２において試聴楽曲識別情報の収集に使用した楽曲選択ページ情報３２の下位に複数の楽曲選択ページ情報３２Ａ及び３２Ｂが存在する場合、ステップＳＰ５−ＳＰ６−ＳＰ７−ＳＰ５の処理を循環的に繰り返し実行することで、当該下位の全ての楽曲選択ページ情報３２Ａ及び３２Ｂから順次試聴楽曲識別情報及び対応する購入ページアドレスを収集して連続試聴リスト情報１１０を更新する。
【００７２】
そしてステップＳＰ５において肯定結果が得られると、このことは、ステップＳＰ２で試聴楽曲識別情報の収集に使用した楽曲選択ページ情報３２よりも下位の全ての楽曲選択ページ情報３２Ａ及び３２Ｂを試聴楽曲識別情報の収集に使用し終えたことを表している。又は、かかる肯定結果は、ステップＳＰ２で試聴楽曲識別情報の収集に使用した楽曲選択ページ情報３２よりも下位に楽曲選択ページ情報３２Ａ及び３２Ｂが存在してはいないことを表している。従って中央処理ユニット５３は、このときステップＳＰ８に移り、かかる第１の連続試聴リスト生成処理手順ＲＴ１を終了する。
【００７３】
ところで中央処理ユニット５３は、かかる第１の連続試聴リスト生成処理手順ＲＴ１を１度実行しただけでは、キーワードを用いた試聴楽曲識別情報の収集に、予め設定された所定階層までの楽曲選択ページ情報を使用しきれないと、再び第１の連続試聴リスト生成処理手順ＲＴ１を実行するようにして所定階層までの楽曲選択ページ情報を使用して試聴楽曲識別情報及び対応する購入ページアドレスを収集し連続試聴リスト情報１１０を更新する。ただし中央処理ユニット５３は、新たに第１の連続試聴リスト生成処理手順ＲＴ１を実行するときには、その際のステップＳＰ１において、その実行以前に第１の連続試聴リスト生成処理手順ＲＴ１を実行した際のステップＳＰ６で試聴楽曲識別情報の収集に使用した楽曲選択ページ情報を、再び試聴楽曲識別情報の収集の使用対象とする。このため中央処理ユニット５３は、２回目以降の第１の連続試聴リスト生成処理手順ＲＴ１を実行する場合、ステップＳＰ１において、試聴楽曲識別情報の収集の使用対象とした楽曲選択ページ情報のページ識別情報がすでに、収集使用済ページリストに登録されているため、その収集使用済ページリストに従って、かかる楽曲選択ページ情報をすでに試聴楽曲識別情報の収集に使用したものであると判別し、ステップＳＰ４に移る。従って中央処理ユニット５３は、第１の連続試聴リスト生成処理手順ＲＴ１を２回以上実行するとき、２回目以降の処理では実質的にステップＳＰ４乃至ステップＳＰ８の処理を順次実行することで、所定階層までの楽曲選択ページ情報を１階層のもれもなく試聴楽曲識別情報の収集に使用して、当該試聴楽曲識別情報及び対応する購入ページアドレスを収集し連続試聴リスト情報１１０を更新することができる。
【００７４】
また中央処理ユニット５３は、所定階層までの楽曲選択ページ情報からのキーワードを用いた試聴楽曲識別情報及び購入ページアドレスの収集が終了すると、引き続き再生プログラムに従って、図１６との対応部分に同一符号を付した図１７に示す第２の連続試聴リスト生成処理手順ＲＴ２を開始する。中央処理ユニット５３は、かかる第２の連続試聴リスト生成処理手順ＲＴ２を開始すると、ステップＳＰ１において、第１の連続試聴リスト生成処理手順ＲＴ１の実行で試聴楽曲識別情報の収集に使用した最も下位の楽曲選択ページ情報に含まれるページ識別情報と、収集使用済ページリスト内のページ識別情報とを比較するようにして、当該楽曲選択ページ情報が試聴楽曲識別情報の収集に未使用であるか否かを判別する。この場合、中央処理ユニット５３は、収集使用済ページリストに対し、かかる楽曲選択ページ情報に含まれるページ識別情報がすでに登録されているため、否定結果を得る。このため中央処理ユニット５３は、このときステップＳＰ１１及びステップＳＰ３の処理を飛ばしてステップＳＰ４に移る。そして中央処理ユニット５３は、上述した第１の連続試聴リスト生成処理手順ＲＴ１と同様にステップＳＰ４の処理を経てステップＳＰ５に移るものの、かかるステップＳＰ５において否定結果を得ると、ステップＳＰ１２に移る。
【００７５】
ステップＳＰ１２において中央処理ユニット５３は、ステップＳＰ１で使用した楽曲選択ページ情報に含まれる楽曲リスト情報４５Ａ乃至４５Ｂ（又はアーティストリスト情報３９Ａ及び３９Ｂ）内の選択ページアドレスに従って音楽データ配信サーバＳＶ１に、対応する１つの楽曲選択ページ情報を要求する。その結果、中央処理ユニット５３は、楽曲選択ページ情報の取り込みを検出すると、上述したステップＳＰ１−ＳＰ１１−ＳＰ３の処理と同様の処理を順次実行する。すなわち中央処理ユニット５３は、まずステップＳＰ１と同様に音楽データ配信サーバＳＶ１から取り込んだ楽曲選択ページ情報に含まれるページ識別情報と、収集使用済ページリスト内のページ識別情報とを比較するようにして当該楽曲選択ページ情報が試聴楽曲識別情報の収集に未使用であるか否かを判別する。その結果、かかる楽曲選択ページ情報を未だ試聴楽曲識別情報の収集に使用してはいないことが確認できると、引き続きステップＳＰ１１と同様の処理を実行する。この場合、中央処理ユニット５３は、楽曲選択ページ情報に含まれる楽曲リスト情報４５Ａ乃至４５Ｂ（又はアーティストリスト情報３９Ａ及び３９Ｂ）内から全ての試聴楽曲識別情報及び対応する購入ページアドレスを収集し、当該収集した試聴楽曲識別情報及び対応する購入ページアドレスを連続試聴リスト情報１１０に追加する。そして中央処理ユニット５３は、ステップＳＰ３と同様に収集使用済ページリストに対し、この時点で試聴楽曲識別情報の収集に使用した楽曲選択ページ情報に含まれるページ識別情報を追加して、次のステップＳＰ７に移る。
【００７６】
このようにして中央処理ユニット５３は、ステップＳＰ１で用いた楽曲選択ページ情報の下位に複数の楽曲選択ページ情報が存在する場合、ステップＳＰ５−ＳＰ１２−ＳＰ７−ＳＰ５の処理を循環的に繰り返し実行することで、当該下位の全ての楽曲選択ページ情報から順次試聴楽曲識別情報及び対応する購入ページアドレスを収集して連続試聴リスト情報１１０を更新する。そして中央処理ユニット５３は、ステップＳＰ５において肯定結果を得ると、次のステップＳＰ１３に移り、かかる第２の連続試聴リスト生成処理手順ＲＴ２を終了する。
【００７７】
ところで中央処理ユニット５３は、第１の連続試聴リスト生成処理手順ＲＴ１の実行で試聴楽曲識別情報の収集に使用した最も下位の楽曲選択ページ情報が複数存在する場合、当該最も下位の楽曲選択ページ情報の数だけ第２の連続試聴リスト生成処理手順ＲＴ２を実行する。そしてこのように第２の連続試聴リスト生成処理手順ＲＴ２を実行するときには、ステップＳＰ１において、かかる最も下位の楽曲選択ページ情報を順番に用いるようにする。また中央処理ユニット５３は、かかる最も下位の楽曲選択ページ情報を順次ステップＳＰ１で用いるようにして第２の連続試聴リスト生成処理手順ＲＴ２を実行しただけでは、試聴楽曲識別情報の収集に所定階層（例えば、最下層）までの楽曲選択ページ情報を使用しきれないと、さらに第２の連続試聴リスト生成処理手順ＲＴ２を実行して、所定階層までの楽曲選択ページ情報を１階層のもれもなく試聴楽曲識別情報の収集に使用して、当該試聴楽曲識別情報及び対応する購入ページアドレスを収集し連続試聴リスト情報１１０を更新する。
【００７８】
ただし中央処理ユニット５３は、このように所定階層までの楽曲選択ページ情報を使用して第２の連続試聴リスト生成処理手順ＲＴ２を順次実行するときにも、ステップＳＰ１において、その実行以前に第２の連続試聴リスト生成処理手順ＲＴ２を実行した際のステップＳＰ１２で試聴楽曲識別情報の収集に使用した楽曲選択ページ情報を、再び試聴楽曲識別情報の収集の使用対象とする。このため中央処理ユニット５３は、第１の連続試聴リスト生成処理手順ＲＴ１の場合と同様に、第２の連続試聴リスト生成処理手順ＲＴ２のステップＳＰ１において、試聴楽曲識別情報の収集の使用対象とする楽曲選択ページ情報のページ識別情報がすでに、収集使用済ページリストに登録されているため、その収集使用済ページリストに従って、かかる楽曲選択ページ情報をすでに試聴楽曲識別情報の収集に使用したものであると判別し、ステップＳＰ４に移る。すなわち中央処理ユニット５３は、第１の連続試聴リスト生成処理手順ＲＴ１に引き続き第２の連続試聴リスト生成処理手順ＲＴ２を実行するときには、実質的にステップＳＰ４乃至ステップＳＰ１３の処理を順次実行することで、所定階層（例えば、最下層）までの楽曲選択ページ情報を１階層のもれもなく使用して、試聴楽曲識別情報及び対応する購入ページアドレスを収集し連続試聴リスト情報１１０を更新することができる。
【００７９】
さらに中央処理ユニット５３は、設定情報で規定された通りに、全ての楽曲選択ページ情報３２、３２Ａ乃至３２ＢＡ内から１つ目又は規定の数の試聴楽曲識別情報を収集したとき、また全ての楽曲選択ページ情報３２、３２Ａ乃至３２ＢＡ内からの試聴楽曲識別情報の収集が終了したときには、再生プログラムに従って、図１８に示す試聴データ再生処理手順ＲＴ３を開始する。中央処理ユニット５３は、かかる試聴データ再生処理手順ＲＴ３を開始すると、ステップＳＰ２１において連続試聴リスト情報１１０（すなわち、収集識別情報リスト１０８）内の複数の試聴楽曲識別情報の中に例えばリストの並びに従い、注目試聴楽曲識別情報として選定すべき試聴楽曲識別情報が存在するか否かを判別する。このステップＳＰ２１において肯定結果が得られると、このことは連続試聴リスト情報１１０内に未だ注目試聴楽曲識別情報として選定してはいない試聴楽曲識別情報が存在することを表している。従って中央処理ユニット５３は、このとき次のステップＳＰ２２に移る。
【００８０】
ステップＳＰ２２において中央処理ユニット５３は、連続試聴リスト情報１１０内の複数の試聴楽曲識別情報のうちリストの並びに従い１つを注目試聴楽曲識別情報として自動的に選定して、次のステップＳＰ２３に移る。ステップＳＰ２３において中央処理ユニット５３は、注目試聴楽曲識別情報として選定した試聴楽曲識別情報に従って試聴データ要求信号を通信処理部６１及びネットワークインタフェース６２を順次介して音楽データ配信サーバＳＶ１に送信する。その結果、中央処理ユニット５３は、音楽データ配信サーバＳＶ１からストリーミング形式で送信される、対応する試聴データをネットワークインタフェース６２及び通信処理部６１を順次介して受信しながらデータ処理部６０及び音声処理部６３を順次介して試聴信号としてスピーカ６４に送出する。これにより中央処理ユニット５３は、かかるスピーカ６４から試聴信号に基づく試聴楽曲を出力させてユーザに試聴させる。そして中央処理ユニット５３は、データ処理部６０を介して試聴データに対する再生処理の終了を検出すると、ステップＳＰ２１に戻る。
【００８１】
従って中央処理ユニット５３は、この後、ステップＳＰ２１において否定結果を得るまでの間は、ステップＳＰ２１−ＳＰ２２−ＳＰ２３−ＳＰ２１の処理を循環的に繰り返すことにより、連続試聴リスト情報１１０内の複数の試聴楽曲識別情報を注目試聴楽曲識別情報として順次自動的に選定しながら、当該注目試聴楽曲識別情報として選定した試聴楽曲識別情報に対応する試聴データを音楽データ配信サーバＳＶ１から取り込みながら試聴楽曲として連続的に自動出力する。ところで上述のステップＳＰ２１において否定結果が得られると、このことは連続試聴リスト情報１１０内の全ての試聴楽曲識別情報を注目試聴楽曲識別情報として選定し、これら全ての試聴楽曲識別情報に対応する試聴データを試聴楽曲として連続的に自動出力し終えたことを表している。従って中央処理ユニット５３は、このときステップＳＰ２４に移り、かかる試聴データ再生処理手順ＲＴ３を終了する。そして中央処理ユニット５３は、連続試聴リスト情報１１０内の全ての試聴楽曲識別情報に対応する試聴データを試聴楽曲として出力し終えても、ユーザによる所望の楽曲の選択が終了していなければ、再び試聴データ再生処理手順ＲＴ３を実行する。
【００８２】
このようにして中央処理ユニット５３は、ユーザが所望の楽曲を選択している間、連続試聴リスト情報１１０内の複数の試聴楽曲識別情報に対応する複数の試聴データを循環的に繰り返し取得して試聴楽曲をユーザに試聴させることができる。因みに中央処理ユニット５３は、試聴データ再生処理手順ＲＴ３の実行中に、ユーザによる所望の楽曲の選択が終了すると、その時点で当該試聴データ再生処理手順ＲＴ３を終了して試聴楽曲に対する連続的な自動出力も終了する。また中央処理ユニット５３は、試聴楽曲に対する連続的な自動出力中にユーザ操作により任意に試聴楽曲が選択され対応する試聴データの再生が要求されると、当該試聴楽曲に対する連続的な自動出力を中断して、ユーザ操作により任意に選択された試聴楽曲に対応する試聴データを再生処理する。そして中央処理ユニット５３は、かかる試聴データの再生処理の終了を検出すると、連続試聴リスト情報１１０を用いた試聴楽曲に対する連続的な自動出力を再開する。なお中央処理ユニット５３は、試聴楽曲に対する連続的な自動出力を再開する場合、中断していた試聴楽曲の出力をその先頭又は中断位置から再開し、又は連続試聴リスト情報１１０内の任意の試聴楽曲識別情報に対応する試聴楽曲から出力を再開する。
【００８３】
さらに中央処理ユニット５３は、試聴楽曲に対する連続的な自動出力中にユーザ操作に応じて楽曲購入ページ情報を取得したときには、その時点で自動出力している試聴楽曲が当該楽曲購入ページ情報で購入可能な（すなわち、ダウンロード可能な）音楽データに対応するものであれば、購入処理の間、かかる試聴楽曲を適宜繰り返しそのまま自動出力し続ける。そして中央処理ユニット５３は、かかる購入処理の終了を検出し、再び楽曲選択画像７０、７５、８０、８５、８８、９０乃至１０１の表示に戻ると、連続試聴リスト情報１１０を用いた通常の試聴楽曲に対する連続的な自動出力に戻る。
【００８４】
これに対して中央処理ユニット５３は、楽曲購入ページ情報を取得したとき、その時点で自動出力している試聴楽曲が当該楽曲購入ページ情報で購入可能な音楽データに対応する試聴楽曲とは異なると、当該試聴楽曲に対する連続的な自動出力を中断して、その楽曲購入ページ情報を用いた購入処理の間、当該楽曲購入ページ情報で購入可能な音楽データに対応する試聴楽曲を適宜繰り返し自動出力する。そして中央処理ユニット５３は、かかる購入処理の終了を検出し、再び楽曲選択画像７０、７５、８０、８５、８８、９０乃至１０１の表示に戻ると、連続試聴リスト情報１１０を用いた試聴楽曲に対する連続的な自動出力を再開する。なお中央処理ユニット５３は、試聴楽曲に対する連続的な自動出力を再開する場合、中断していた試聴楽曲の出力をその先頭又は中断位置から再開し、又は連続試聴リスト情報１１０内の任意の試聴楽曲識別情報に対応する試聴楽曲から出力を再開する。
【００８５】
以上の構成において、データ記憶再生装置２１は、ＣＤや音楽データ配信サーバＳＶ１から音楽データを取り込んでハードディスクに記憶する毎に、当該記憶した音楽データを種別により統計処理してキーワードを生成する。この状態でデータ記憶再生装置２１は、ユーザによるページ取得要求に応じて、音楽データ配信サーバＳＶ１から送信される最上位の楽曲選択ページ情報３２の取り込みを検出すると、当該最上位の楽曲選択ページ情報３２内からキーワードに関連する試聴楽曲識別情報を収集して収集識別情報リスト１０８を作成する。またデータ記憶再生装置２１は、音楽データ配信サーバＳＶ１から、最上位の楽曲選択ページ情報３２より遷移可能な楽曲選択ページ情報３２Ａ及び３２Ｂも取得すると共に、当該取得した楽曲選択ページ情報３２Ａ及び３２Ｂ内からもキーワードに関連する試聴楽曲識別情報を収集して収集識別情報リスト１０８に追加する。このようにしてデータ記憶再生装置２１は、最上位の楽曲選択ページ情報３２の取り込みを検出すると、当該最上位の楽曲選択ページ情報３２内及びこれよりも下位の所定階層までの楽曲選択ページ情報内からキーワードに関連する試聴楽曲識別情報を収集して収集識別情報リスト１０８を作成する。
【００８６】
またデータ記憶再生装置２１は、キーワードに関連する試聴楽曲識別情報の収集が終了すると、引き続き音楽データ配信サーバＳＶ１から所定階層よりも１階層下位の楽曲選択ページ情報乃至下位の所定階層（例えば、最下位）までの楽曲選択ページ情報を順次取り込みながら、当該取り込んだ楽曲選択ページ情報内から全ての試聴楽曲識別情報を収集して収集識別情報リスト１０８に追加する。そしてデータ記憶再生装置２１は、かかる収集識別情報リスト１０８内の複数の試聴楽曲識別情報のうち１つの試聴楽曲識別情報を注目試聴楽曲識別情報として自動的に選定すると共に、当該注目試聴楽曲識別情報として選定した試聴楽曲識別情報に対応する試聴データを音楽データ配信サーバＳＶ１に要求する。その結果、データ記憶再生装置２１は、音楽データ配信サーバＳＶ１からストリーミング形式で送信される、対応する試聴データを取り込んで再生処理及び音声処理を施すことにより試聴楽曲として出力する。またデータ記憶再生装置２１は、かかる試聴データに対する再生処理の終了を検出すると、再び収集識別情報リスト１０８内の複数の試聴楽曲識別情報のうち新たに１つの試聴楽曲識別情報を注目試聴楽曲識別情報として自動的に選定すると共に、当該注目試聴楽曲識別情報として選定した試聴楽曲識別情報に対応する新たな試聴データを音楽データ配信サーバＳＶ１に要求する。その結果、データ記憶再生装置２１は、音楽データ配信サーバＳＶ１からストリーミング形式で送信される、対応する新たな試聴データを取り込んで再生処理及び音声処理を施すことにより試聴楽曲として出力する。このようにしてデータ記憶再生装置２１は、収集識別情報リスト１０８内の複数の試聴楽曲識別情報に対応する複数の試聴データを音楽データ配信サーバＳＶ１から順次取得しながら試聴楽曲として連続的に自動出力する。
【００８７】
従ってデータ記憶再生装置２１は、ユーザによるページ取得要求に応じて、音楽データ配信サーバＳＶ１から送信される最上位の楽曲選択ページ情報３２の取り込みを検出すると、複数階層の楽曲選択ページ情報３２、３２Ａ乃至３２ＢＡ内から試聴楽曲識別情報を収集して収集識別情報リスト１０８を作成すると共に、当該作成した収集識別情報リスト１０８内の複数の試聴楽曲識別情報に対応する複数の試聴データを順次取り込んで再生処理するため、ユーザに対し、試聴楽曲の選択用に複数階層の楽曲選択ページ情報３２、３２Ａ乃至３２ＢＡを順次取り込むための操作や当該試聴楽曲を選択するための操作等を何ら行わせることなく、最上位の楽曲選択ページ情報３２を取り込むための操作のみを行わせるだけで、複数の楽曲選択ページ情報３２、３２Ａ乃至３２ＢＡ内の試聴楽曲識別情報に対応する試聴データを取り込んで再生処理することができる。
【００８８】
以上の構成によれば、データ記憶再生装置２１において、最上位の楽曲選択ページ情報３２の取り込みを検出すると、当該最上位の楽曲選択ページ情報３２内から試聴楽曲識別情報を収集して収集識別情報リスト１０８を作成すると共に、かかる最上位の楽曲選択ページ情報よりも下位の楽曲選択ページ情報３２Ａ乃至３２ＢＡを自動的に取り込みながら当該取り込んだ楽曲選択ページ情報３２Ａ乃至３２ＢＡ内からも試聴楽曲識別情報を収集して収集識別情報リスト１０８に追加し、このようにして作成した収集識別情報リスト１０８内の複数の試聴楽曲識別情報に対応する複数の試聴データを順次取り込んで再生処理するようにした。これによりデータ記憶再生装置２１は、ユーザに対し最上位の楽曲選択ページ情報３２を取り込むための操作のみを行わせるだけで、複数の楽曲選択ページ情報３２、３２Ａ乃至３２ＢＡ内の試聴楽曲識別情報に対応する試聴データを取り込んで再生することができる。その結果、データ記憶再生装置２１は、試聴データの再生時の操作を格段的に簡易化することができる。
【００８９】
またデータ記憶再生装置２１は、設定情報に従い、楽曲選択ページ情報３２、３２Ａ乃至３２ＢＡ内から１つ目の試聴楽曲識別情報を収集したとき、当該収集した試聴楽曲識別情報に対応する試聴データを取り込みながら再生処理する場合には、最上位の楽曲選択ページ情報３２の取り込みを検出してから、極力早い時点に試聴データに対する再生処理を開始することができる。従ってデータ記憶再生装置２１は、最上位の楽曲選択ページ情報３２を取り込んだとき、ユーザに対し極力待たせずに試聴楽曲を試聴させ始めることができる。これに加えてデータ記憶再生装置２１は、設定情報に従い、楽曲選択ページ情報３２、３２Ａ乃至３２ＢＡ内から規定の数の試聴楽曲識別情報を収集したとき、当該収集した試聴楽曲識別情報に対応する試聴データを取り込みながら再生処理する場合でも、かかる規定の数を極力少なく選定することで、上述と同様に最上位の楽曲選択ページ情報３２を取り込んだとき、ユーザに対し極力待たせずに試聴楽曲を試聴させ始めることができる。
【００９０】
ところでデータ記憶再生装置２１は、図１８について上述したように、試聴データ再生処理手順ＲＴ３を実行する場合、ユーザにより所望の楽曲が選択される前に収集識別情報リスト１０８内で注目試聴楽曲識別情報として未選定の試聴楽曲識別情報がなくなると、当該試聴データ再生処理手順ＲＴ３を一旦終了し、再び試聴データ再生処理手順ＲＴ３を実行する。このためデータ記憶再生装置２１では、複数階層の楽曲選択ページ情報３２、３２Ａ乃至３２ＢＡに対し、あまり試聴データに対応する試聴楽曲識別情報が含まれていないために、１つの試聴楽曲識別情報の収集から他の１つの試聴楽曲識別情報の収集までの間が比較的あくような場合には、試聴データ再生処理手順ＲＴ３を繰り返し実行すると、最上位の楽曲選択ページ情報３２に対する取り込みの検出から比較的早い時点に収集した試聴楽曲識別情報に対応する試聴データほど再生処理する回数が多く、また最上位の楽曲選択ページ情報３２に対する取り込みの検出から比較的遅い時点に収集した試聴楽曲識別情報に対応する試聴データほど再生処理する回数が少なくなる可能性がある。すなわち、このような場合、データ記憶再生装置２１では、最上位の楽曲選択ページ情報３２に対する取り込みの検出から比較的早い時点に収集した試聴楽曲識別情報に対応する試聴楽曲ほど試聴回数が増え、これに対して最上位の楽曲選択ページ情報３２に対する取り込みの検出から比較的遅い時点に収集した試聴楽曲識別情報に対応する試聴楽曲ほど試聴回数が少なくなり、ユーザに同一の試聴楽曲のみ繰り返し聴かせているような感覚を生じさせる可能性がある。しかしながらデータ記憶再生装置２１では、設定情報に従い、楽曲選択ページ情報３２、３２Ａ乃至３２ＢＡ内からの試聴楽曲識別情報の収集が終了したとき、当該収集した試聴楽曲識別情報に対応する試聴データを取り込みながら再生処理するようにもし得るため、かかる設定情報に従い試聴データ再生処理手順ＲＴ３を実行するときには、複数階層の楽曲選択ページ情報３２、３２Ａ乃至３２ＢＡから複数の試聴楽曲識別情報を収集した時点の違いに起因して、個々の試聴楽曲識別情報に対応する試聴楽曲の試聴回数に違いが生じることを回避することができる。すなわち、データ記憶再生装置２１では、同一の試聴楽曲のみ繰り返し聴かせているような感覚を抱かせることなく、複数の試聴楽曲をほぼ均等に聴かせながら所望の楽曲を選択させることができる。
【００９１】
またデータ記憶再生装置２１は、試聴データ再生処理手順ＲＴ３を実行する場合、収集識別情報リスト１０８内の複数の試聴楽曲識別情報のうち１つの試聴楽曲識別情報を注目試聴楽曲識別情報として選定し、当該注目試聴楽曲識別情報として選定した試聴楽曲識別情報に対応する試聴データを取り込んで再生処理し、かかる試聴データに対する再生処理の終了を検出すると、収集識別情報リスト１０８内の複数の試聴楽曲識別情報のうち新たに１つの試聴楽曲識別情報を注目試聴楽曲識別情報として自動的に選定するようにして、収集識別情報リスト１０８内の複数の試聴楽曲識別情報に対応する複数の試聴データを順次取り込んで再生処理するため、ユーザの手を何ら煩わせることなく、複数の試聴データに基づく複数の試聴楽曲を連続的に自動出力して試聴させることができる。
【００９２】
さらにデータ記憶再生装置２１は、収集識別情報リスト１０８内の複数の視聴楽曲識別情報に対応する複数の試聴データを循環的に繰り返し再生処理するため、ユーザが所望の楽曲を選んでいる途中に、試聴データの再生処理が終了してそのまま試聴楽曲が流れなくなくなることを回避することができる。すなわちデータ記憶再生装置２１は、ユーザが所望の楽曲を選んでいる間は、複数の試聴楽曲をバックグランドミュージックのように聴かせながら、試聴の許可された楽曲を紹介することができる。
【００９３】
これに加えてデータ記憶再生装置２１は、特定の操作キーに対し、再生処理中の試聴データに対応する音楽データ用の楽曲購入ページ情報の供給元を示す購入ページアドレスを関連付けると共に、当該再生処理中の試聴データに応じて特定の操作キーに関連付ける購入ページアドレスを更新するため、楽曲選択画像７０、７５、８０、８５、８８、９０乃至１０１の表示の遷移状況に何ら影響されずに（すなわち、表示の有無にかかわらずに）、試聴中の楽曲が気に入ったときには、その時点に特定の操作キーを操作させるだけで当該試聴中の楽曲の音楽データに対応する楽曲購入ページ情報を容易に取得することができる。
【００９４】
さらにデータ記憶再生装置２１は、試聴データを再生処理してはいないときに特定の操作キーに関連付ける購入ページアドレスを削除すると共に、当該特定の操作キーに対する操作を受け付けないようにする。またデータ記憶再生装置２１は、視聴データを再生処理していても、スピーカ６４から実際には試聴楽曲が出力されていないときにも（すなわち、ユーザにより試聴楽曲が試聴されていないときにも）、特定の操作キーに対する操作を受け付けないようにする。従ってデータ記憶再生装置２１は、ユーザに対し試聴楽曲を試聴させてはいないときに、特定の操作キーが誤操作されても、その操作に応じて楽曲購入ページ情報を誤って取得することを未然に回避している。すなわちデータ記憶再生装置２１は、かかる構成により、ユーザに対し試聴楽曲を試聴させてはいないときに、特定の操作キー等にする一連の誤操作によりユーザの選択してもいない楽曲の音楽データが誤ってダウンロードされることをほぼ確実に回避することができる。
【００９５】
（３）他の実施の形態
なお上述した第２の実施の形態においては、データ記憶再生装置２１において、最上位の楽曲選択ページ情報３２乃至所定階層までの楽曲選択ページ情報からはキーワードに関連する試聴楽曲識別情報を収集し、当該所定階層よりも１階層下位の楽曲選択ページ情報乃至例えば最下位までの楽曲選択ページ情報からはキーワードを用いずに試聴楽曲識別情報を収集するようにした場合について述べたが、本発明はこれに限らず、データ記憶再生装置２１において、最上位の楽曲選択ページ情報３２乃至所定階層までの楽曲選択ページ情報からキーワードを全く用いずに試聴楽曲識別情報を収集するようにしても良い。データ記憶再生装置２１では、キーワードを用いずに試聴楽曲識別情報を収集する場合、当該試聴楽曲識別情報の収集に使用する楽曲選択ページ情報を例えば任意に選定した階層や任意に選定した種別等で少なくとも２つ指定しておき、当該指定した少なくとも２つの楽曲選択ページ情報からのみキーワードを用いずに試聴楽曲識別情報を収集するようにしても良い。さらにデータ記憶再生装置２１では、少なくとも２つの楽曲選択ページ情報からキーワードを全く用いずに試聴楽曲識別情報を収集する場合、所定個数分の試聴楽曲識別情報又は所定再生時間分の試聴データに対応する試聴楽曲識別情報を収集した時点で、当該試聴楽曲識別情報の収集を終了するようにしても良い。そしてデータ記憶再生装置２１では、この際に所定個数や所定再生時間を極力少なく選定することで、連続試聴リスト情報１１０の一時記憶に要する記憶容量を極力少なくし得ると共に、試聴楽曲識別情報の収集処理（すなわち、連続試聴リスト生成処理手順）を簡易化して中央処理ユニット５３の処理負荷を低減することができる。
【００９６】
また上述した第２の実施の形態においては、データ記憶再生装置２１が音楽データ配信サーバＳＶ１から試聴データを取り込みながら試聴楽曲を連続的に自動出力するようにした場合について述べたが、本発明はこれに限らず、データ記憶再生装置２１において、外部から動画、静止画、ゲーム、オーディオ、テキスト、プログラム等の種々のコンテンツに関連するサンプルデータ等のストリーミングコンテンツデータを取得して連続的に自動出力するようにしても良い。またデータ記憶再生装置２１が、外部からコンテンツデータ（オーディオデータ、ビデオデータ、イメージデータ、テキストデータ、プログラムデータ）そのものをストリーミングコンテンツデータとして取得して連続的に自動出力してもかまわない。
【００９７】
さらに上述した第２の実施の形態においては、データ記憶再生装置２１において、複数階層の楽曲選択ページ情報３２、３２Ａ乃至３２ＢＡに含まれる試聴楽曲識別情報をそのまま収集するようにした場合について述べたが、本発明はこれに限らず、複数階層の楽曲選択ページ情報３２、３２Ａ乃至３２ＢＡに対し、圧縮符号化方式や暗号化方式等のフォーマットの異なる試聴データに対応する視聴楽曲識別情報を、そのフォーマットを示す情報と共に含ませておき、データ記憶再生装置２１において、かかる複数階層の楽曲選択ページ情報３２、３２Ａ乃至３２ＢＡに含まれる複数の試聴楽曲識別情報のうち、フォーマットを示す情報に基づき、自己で再生処理可能なフォーマットの試聴データに対応する試聴楽曲識別情報のみを選択的に収集するようにしても良い。このようにすれば、音楽データ配信サーバＳＶ１において、試聴データの取り込み側（すなわち、データ記憶再生装置２１側）で再生処理可能なフォーマットを何ら気にせずに（すなわち、複数の試聴データのフォーマットを統一するような煩雑な処理を実行することなく）種々のフォーマットの試聴データを用意しておくことができる。
【００９８】
さらに上述した第１及び第２の実施の形態においては、本発明による再生装置を、図１乃至図１８について上述した再生装置１及びデータ記憶再生装置２１に適用するようにした場合について述べたが、本発明はこれに限らず、パーソナルコンピュータや携帯電話機、ＰＤＡ（Personal Digital Assistance ）、ゲーム機器、コンパクトディスクプレーヤ、ＤＶＤ（Digital Versatile Disc）プレーヤ、ハードディスクレコーダ等の情報処理装置のように、この他種々の再生装置に広く適用することができる。すなわち上述した第１及び第２の実施の形態においては、図１乃至図１８について上述した機能回路ブロックやハードウェア回路ブロックを再生装置１やデータ記憶再生装置２１に実装した場合について述べたが、本発明はこれに限らず、これらをパーソナルコンピュータや携帯電話機等、再生装置１及びデータ記憶再生装置２１以外の種々の装置に実装するようにしても良く、これら機能回路ブロックやハードウェア回路ブロックを実装した装置であれば、上述した再生装置１やデータ記憶再生装置２１と同様の処理を実現することができる。
【００９９】
さらに上述した第１及び第２の実施の形態においては、第１のページ情報の取り込みを検出する検出部として、図１乃至図１８について上述した再生装置１の検出部２及びデータ記憶再生装置２１の中央処理ユニット５３を適用するようにした場合について述べたが、本発明はこれに限らず、第１のページ情報の取り込みを検出するハードウェア回路構成の検出回路等のように、この他種々の検出部を広く適用することができる。
【０１００】
さらに上述した第１及び第２の実施の形態においては、検出部により第１のページ情報の取り込みが検出されると、少なくとも第１のページ情報内、及び当該第１のページ情報より遷移される第２のページ情報内から、ストリーミングコンテンツデータの供給元を示すコンテンツ識別情報を収集し、当該収集したコンテンツ識別情報のリストを作成するリスト作成部として、図１乃至図１８について上述した再生装置１のリスト生成部３及びデータ記憶再生装置２１の中央処理ユニット５３を適用するようにした場合について述べたが、本発明はこれに限らず、少なくとも第１及び第２のページ情報内からコンテンツ識別情報を収集するハードウェア回路構成のリスト作成回路等のように、この他種々のリスト作成部を広く適用することができる。
【０１０１】
さらに上述した第１及び第２の実施の形態においては、リスト作成部により作成されたリスト内のコンテンツ識別情報に対応するストリーミングコンテンツデータを取り込んで再生する再生部として、図１乃至図１８について上述した再生装置１の再生部４及びデータ記憶再生装置２１のデータ処理部６０を適用するようにした場合について述べたが、本発明はこれに限らず、リスト内のコンテンツ識別情報に対応するストリーミングコンテンツデータを取り込んで再生するハードウェア回路構成の再生回路等のように、この他種々の再生部を広く適用することができる。
【０１０２】
さらに上述した第１及び第２の実施の形態においては、操作に応じて、関連付けられているネットワークアドレスにアクセスする操作部として、図１乃至図１８について上述した再生装置１の操作部５及びデータ記憶再生装置２１の操作入力部５０を適用するようにした場合について述べたが、本発明はこれに限らず、タッチパネル等のように、この他種々の操作部を広く適用することができる。
【０１０３】
さらに上述した第１及び第２の実施の形態においては、再生部により再生されているストリーミングコンテンツデータに応じて、操作部に関連付けるネットワークアドレスを更新する制御部として、図１乃至図１８について上述した再生装置１の制御部６及びデータ記憶再生装置２１の中央処理ユニット５３を適用するようにした場合について述べたが、本発明はこれに限らず、再生中のストリーミングコンテンツデータに応じて操作部に関連付けるネットワークアドレスを更新するハードウェア回路構成の制御回路等のように、この他種々の制御部を広く適用することができる。
【０１０４】
さらに上述した第１及び第２の実施の形態においては、再生部によってストリーミングコンテンツデータが再生されることにより得られる再生データを音声信号に変換する音声処理部として、図１乃至図１８について上述した再生装置１の音声処理部７及びデータ記憶再生装置２１の音声処理部６３を適用するようにした場合について述べたが、本発明はこれに限らず、デジタルアナログ変換器のように、この他種々の音声処理部を広く適用することができる。
【産業上の利用可能性】
【０１０５】
本発明は、少なくとも第１及び第２のページ情報からストリーミングコンテンツデータの供給元を示すコンテンツ識別情報を収集してリストを作成し、当該リスト内のコンテンツ識別情報に対応するストリーミングツコンテンツデータを取り込んで再生するパーソナルコンピュータ等の再生装置に利用することができる。
【図面の簡単な説明】
【０１０６】
【図１】第１の実施の形態による再生装置の機能回路ブロックによるハードウェア構成を示すブロック図である。
【図２】第２の実施の形態による音楽データ提供システムの全体構成を示す略線図である。
【図３】音楽データ配信サーバＳＶ１のハードウェア回路ブロックによるハードウェア構成を示すブロック図である。
【図４】楽曲選択ページ情報の構成を示す略線図である。
【図５】ジャンルリスト情報の構成を示す略線図である。
【図６】アーティストリスト情報の構成を示す略線図である。
【図７】楽曲リスト情報の構成を示す略線図である。
【図８】データ記憶再生装置のハードウェア回路ブロックによるハードウェア構成を示すブロック図である。
【図９】楽曲選択画像の構成（１）を示す略線図である。
【図１０】楽曲選択画像の構成（２）を示す略線図である。
【図１１】楽曲選択画像の構成（３）を示す略線図である。
【図１２】楽曲選択画像の構成（４）を示す略線図である。
【図１３】楽曲選択画像の構成（５）を示す略線図である。
【図１４】楽曲選択画像の階層構造の説明に供する略線図である。
【図１５】連続試聴リスト情報の構成を示す略線図である。
【図１６】第１の連続試聴リスト生成処理手順を示すフローチャートである。
【図１７】第２の連続試聴リスト生成処理手順を示すフローチャートである。
【図１８】試聴データ再生処理手順を示すフローチャートである。
【符号の説明】
【０１０７】
１……再生装置、２……検出部、３……リスト生成部、４……再生部、５……操作部、６……制御部、７……音声処理部、２１……データ記憶再生装置、３２、３２Ａ乃至３２ＢＡ……楽曲選択ページ情報、３３……ジャンルリスト情報、３６、４２、４８……識別情報リスト、３８、４４、４７……購入ページアドレスリスト、３９Ａ及び３９Ｂ……アーティストリスト情報、４５Ａ乃至４５Ｃ……楽曲リスト情報、５０……操作入力部、５３……中央処理ユニット、６０……データ処理部、６３……音声処理部、６４……スピーカ、１０８……収集識別情報リスト、１０９……収集アドレスリスト、１１０……連続試聴リスト情報、ＲＴ１……第１の連続試聴リスト生成処理手順、ＲＴ２……第２の連続試聴リスト生成処理手順、ＲＴ３……試聴データ再生処理手順。
【図１】
0004600759.tif 000002
【図２】
0004600759.tif 000003
【図３】
0004600759.tif 000004
【図４】
0004600759.tif 000005
【図５】
0004600759.tif 000006
【図６】
0004600759.tif 000007
【図７】
0004600759.tif 000008
【図８】
0004600759.tif 000009
【図９】
0004600759.tif 000010
【図１０】
0004600759.tif 000011
【図１１】
0004600759.tif 000012
【図１２】
0004600759.tif 000013
【図１３】
0004600759.tif 000014
【図１４】
0004600759.tif 000015
【図１５】
0004600759.tif 000016
【図１６】
0004600759.tif 000017
【図１７】
0004600759.tif 000018
【図１８】
0004600759.tif 000019